(57)【要約】  農薬成分または肥料成分の析出、各成分の分解・分離が抑制され、長期安定性に優れ、かつ引火性などの危険が低減された、農薬入り緩効性粒状肥料製剤を提供する。  非石油系溶剤および農薬を含有する、農薬入り緩効性粒状肥料製剤である。【特許請求の範囲】
【請求項１】
非石油系溶剤および農薬有効成分を含有する農薬入り緩効性粒状肥料製剤。
【請求項２】
非石油系溶剤の水溶解度が１００ｐｐｍ以上である請求項１に記載の製剤。
【請求項３】
非石油系溶剤がエーテル系溶剤、ニトリル系溶剤、アルコール系溶剤、ケトン系溶剤、カーボネート系溶剤、エステル系溶剤、アミド系溶剤、カルバミド系溶剤、スルホキシド系溶剤、スルホン系溶剤、アミン系溶剤、アルデヒド系溶剤、脂肪酸エステル系溶剤、含窒素担体系溶剤またはグリコールエーテル系溶剤である、請求項１または２に記載の製剤。
【請求項４】
非石油系溶剤がグリコールエーテル系溶剤である、請求項１ないし３のいずれか１項に記載の製剤。
【請求項５】
さらに水および／または液体もしくは液状肥料を含有する、請求項１ないし４のいずれか１項に記載の製剤。
【請求項６】
農薬が、カーバメート系アセチルコリンエステラーゼ（ＡＣｈＥ）阻害剤、有機りん系アセチルコリンエステラーゼ（ＡＣｈＥ）阻害剤、環状ジエン有機塩素系ＧＡＢＡ作動性塩素イオンチャネルアンタゴニスト、フェニルピラゾール系（フィプロール系）ＧＡＢＡ作動性塩素イオンチャネルアンタゴニスト、ピレスロイド系およびピレトリン系ナトリウムチャネルモジュレーター、ナトリウムチャネルモジュレーター、ネオニコチノイド系ニコチン性アセチルコリン受容体（ｎＡＣｈＲ）アゴニスト、ニコチン性アセチルコリン受容体（ｎＡＣｈＲ）アゴニスト、ブテノライド系ニコチン性アセチルコリン受容体（ｎＡＣｈＲ）アゴニスト、スピノシン系ニコチン性アセチルコリン受容体（ｎＡＣｈＲ）アロステリックモジュレーター、アベルメクチン系およびミルベマイシン系塩素イオンチャネルアクチベーター、幼若ホルモン類似剤、非特異的（マルチサイト）阻害剤、弦音器官モジュレーター、ダニ類成長阻害剤、微生物由来昆虫中腸内膜破壊剤、ミトコンドリアＡＴＰ合成酵素阻害剤、酸化的りん酸化脱共役剤、ネライストキシン類縁体ニコチン性アセチルコリン受容体（ｎＡＣｈＲ）チャネルブロッカー、ベンゾイル尿素系キチン生合成阻害剤（タイプ０）、キチン生合成阻害剤（タイプ１）、ハエ目昆虫脱皮阻害剤、ジアシル−ヒドラジン系脱皮ホルモン（エクダイソン）受容体アゴニスト、オクトパミン受容体アゴニスト、ミトコンドリア電子伝達系複合体III阻害剤、ミトコンドリア電子伝達系複合体Ｉ阻害剤（ＭＥＴＩ）、電位依存性ナトリウムチャネルブロッカー、テトロン酸およびテトラミン酸誘導体アセチルＣｏＡカルボキシラーゼ阻害剤、ホスフィン系ミトコンドリア電子伝達系複合体IV阻害剤、シアニド系ミトコンドリア電子伝達系複合体IV阻害剤、β−ケトニトリル誘導体ミトコンドリア電子伝達系複合体II阻害剤、ジアミド系リアノジン受容体モジュレーター、天敵昆虫・ダニ・線虫系生物農薬、微生物系生物農薬、気門封鎖型農薬、フェロモン剤、アザジラクチン、ベンゾメート（ベンゾキシメート）、ビフェナゼート、フェニソブロモレート（ブロモプロピレート）、キノキサリン系（キノメチオナート）、弗化アルミニウムナトリウム、ケルセン（ジコホル）、ピリダリル、ピリフルキナゾン、イオウ、りん酸第２鉄剤、メタアルデヒド並びに１，３−ジクロロプロペンからなる群から選択される殺虫剤；
アシルアラニン系ＰＡ殺菌剤（フェニルアミド類）、オキサゾリジノン系ＰＡ殺菌剤（フェニルアミド類）、ブチロラクトン系ＰＡ殺菌剤（フェニルアミド類）、ヒドロキシ（２−アミノ−）ピリミジン類、イソオキサゾール系芳香族ヘテロ環類、イソチアゾロン系芳香族ヘテロ環類、カルボン酸類、ベンゾイミダゾール系ＭＢＣ殺菌剤（メチルベンゾイミダゾールカーバメート）、チオファネート系ＭＢＣ殺菌剤（メチルベンゾイミダゾールカーバメート）、Ｎ−フェニルカーバメート類、トルアミド系ベンズアミド類、エチルアミノチアゾールカルボキサミド系チアゾールカルボキサミド類、フェニルウレア類、ピリジニルメチルベンゾアミド系ベンズアミド類、ピリミジンアミン類、ピラゾールカルボキサミド類、フェニルベンズアミド系ＳＤＨＩ（コハク酸脱水素酵素阻害剤）、フェニルオキソエチルチオフェンアミド系ＳＤＨＩ（コハク酸脱水素酵素阻害剤）、ピリジニルエチルベンズアミド系ＳＤＨＩ（コハク酸脱水素酵素阻害剤）、フランカルボキサミド系ＳＤＨＩ（コハク酸脱水素酵素阻害剤）、オキサチインカルボキサミド系ＳＤＨＩ（コハク酸脱水素酵素阻害剤）、チアゾールカルボキサミド系ＳＤＨＩ（コハク酸脱水素酵素阻害剤）、ピラゾール−４−カルボキサミド系ＳＤＨＩ（コハク酸脱水素酵素阻害剤）、ピリジンカルボキサミド系ＳＤＨＩ（コハク酸脱水素酵素阻害剤）、メトキシアクリレート系ＱｏＩ殺菌剤（Ｑｏ阻害剤）、メトキシアセトアミド系ＱｏＩ殺菌剤（Ｑｏ阻害剤）、メトキシカーバメート系ＱｏＩ殺菌剤（Ｑｏ阻害剤）、オキシイミノ酢酸系ＱｏＩ殺菌剤（Ｑｏ阻害剤）、オキシイミノアセトアミド系ＱｏＩ殺菌剤（Ｑｏ阻害剤）、オキサゾリジンジオン系ＱｏＩ殺菌剤（Ｑｏ阻害剤）、ジヒドロジオキサジン系ＱｏＩ殺菌剤（Ｑｏ阻害剤）、イミダゾリノン系ＱｏＩ殺菌剤（Ｑｏ阻害剤）、ベンジルカーバメート系ＱｏＩ殺菌剤（Ｑｏ阻害剤）、シアノイミダゾール系ＱｉＩ殺菌剤（Ｑｉ阻害剤）、スルファモイルトリアゾール系ＱｉＩ殺菌剤（Ｑｉ阻害剤）、ジニトロフェニルクロトン酸類、２，６−ジニトロアニリン類、トリフェニルスズ化合物系有機スズ化合物、チオフェンカルボキサミド類、トリアゾロピリミジルアミン系ＱｏＳＩ殺菌剤（Ｑｏ阻害剤、スチグマテリン結合タイプ）、アニリノピリミジン系ＡＰ殺菌剤（アニリノピリミジン類）、エノピラヌロン酸抗生物質、ヘキソピラノシル抗生物質、グルコピラノシル抗生物質、テトラサイクリン抗生物質、アリルオキシキノリン系アザ−ナフタレン類、キナゾリノン系アザ−ナフタレン類、フェニルピロール系ＰＰ殺菌剤（フェニルピロール類）、ジカルボキシイミド類、ホスホロチオレート類、ジチオラン類、芳香族炭化水素系ＡＨ殺菌剤（芳香族炭化水素、クロロフェニル類、ニトロアニリン類を含む）、１，２，４−チアジアゾール系複素芳香族、カーバメート類、Ｂａｃｉｌｌｕｓ属および産生された殺菌性リポペプチド類系微生物（Ｂａｃｉｌｌｕｓ属）、テルペン炭化水素類およびテルペンアルコール系植物抽出物、ピペラジン系ＤＭＩ殺菌剤（脱メチル化阻害剤、ＳＢＩ：クラスＩ）、ピリジン系ＤＭＩ殺菌剤（脱メチル化阻害剤、ＳＢＩ：クラスＩ）、ピリミジン系ＤＭＩ殺菌剤（脱メチル化阻害剤、ＳＢＩ：クラスＩ）、イミダゾール系ＤＭＩ殺菌剤（脱メチル化阻害剤、ＳＢＩ：クラスＩ）、トリアゾール系ＤＭＩ殺菌剤（脱メチル化阻害剤、ＳＢＩ：クラスＩ）、トリアゾリンチオン系ＤＭＩ殺菌剤（脱メチル化阻害剤、ＳＢＩ：クラスＩ）、モルフォリン系アミン類（モルフォリン類、ＳＢＩ：クラスII）、ピペリジン系アミン類（モルフォリン類、ＳＢＩ：クラスII）、スピロケタールアミン系アミン類（モルフォリン類、ＳＢＩ：クラスII）、ヒドロキシアニリド類（ＳＢＩ：クラスIII）、アミノピラゾリノン系化合物（ＳＢＩ：クラスIII）、チオカーバメート類（ＳＢＩ：クラスIV）、アリルアミン類（ＳＢＩ：クラスIV）、グルコピラノシル抗生物質、ペプチジルピリミジンヌクレオシド系ポリオキシン類、桂皮酸アミド系ＣＡＡ殺菌剤（カルボン酸アミド類）、バリンアミドカーバメート系ＣＡＡ殺菌剤（カルボン酸アミド類）、マンデル酸アミド系ＣＡＡ殺菌剤（カルボン酸アミド類）、イソベンゾフラノン系ＭＢＩ−Ｒ（メラニン生合成阻害剤−還元酵素）、ピロロキノリノン系ＭＢＩ−Ｒ（メラニン生合成阻害剤−還元酵素）、トリアゾロベンゾチアゾール系ＭＢＩ−Ｒ（メラニン生合成阻害剤−還元酵素）、シクロプロパンカルボキサミド系ＭＢＩ−Ｄ（メラニン生合成阻害剤−脱水酵素）、カルボキサミド系ＭＢＩ−Ｄ（メラニン生合成阻害剤−脱水酵素）、プロピオンアミド系ＭＢＩ−Ｄ（メラニン生合成阻害剤−脱水酵素）、ベンゾチアジアゾール類、ベンゾイソチアゾール類、チアジアゾールカルボキサミド類、多糖類天然物、植物抽出物、シアノアセトアミドオキシム類、エチルホスホナート系ホスホナート類、ホスホナート類、フタラミン酸類、ベンゾトリアジン類、ベンゼンスルホンアミド類、ピリダジノン類、チオカーバメート化合物、フェニルアセトアミド化合物、ベンゾフェノン系アリルフェニルケトン化合物、ベンゾイルピリジン系アリルフェニルケトン化合物、グアニジン類、シアノメチレンチアゾリジン系チアゾリジン化合物、ピリミジノンヒドラゾン類、ピペリジニルチアゾールイソオキサゾリン類、酢酸４−キノリン化合物、無機化合物、ジチオカーバメート類およびその類縁体、フタルイミド類、クロロニトリル類（フタロニトリル類）、スルファミド類、グアニジン類、トリアジン類、キノン類（アントラキノン類）、キノキサリン類、マレイミド類、物理的阻害剤、炭酸水素塩剤、銀剤、有機銅剤並びに土壌消毒剤からなる群から選択される殺菌剤；
またはアリルオキシプロピオン酸エステル系アセチルＣｏＡカルボキシラーゼ（ＡＣＣａｓｅ）阻害剤、シクロヘキサンジオン系アセチルＣｏＡカルボキシラーゼ（ＡＣＣａｓｅ）阻害剤、フェニルピラゾリン系アセチルＣｏＡカルボキシラーゼ（ＡＣＣａｓｅ）阻害剤、スルホニルウレア系アセト乳酸合成酵素（ＡＬＳ）阻害剤（アセトヒドロキシ酸合成酵素（ＡＨＡＳ）阻害剤）、イミダゾリノン系アセト乳酸合成酵素（ＡＬＳ）阻害剤（アセトヒドロキシ酸合成酵素（ＡＨＡＳ）阻害剤）、トリアゾロピリミジン系アセト乳酸合成酵素（ＡＬＳ）阻害剤（アセトヒドロキシ酸合成酵素（ＡＨＡＳ）阻害剤）、ピリミジニル（チオ）ベンゾエート系アセト乳酸合成酵素（ＡＬＳ）阻害剤（アセトヒドロキシ酸合成酵素（ＡＨＡＳ）阻害剤）、スルホニルアミノカルボニルトリアゾリノン系アセト乳酸合成酵素（ＡＬＳ）阻害剤（アセトヒドロキシ酸合成酵素（ＡＨＡＳ）阻害剤）、トリアジン系光合成（光化学系II）阻害剤、トリアジノン系光合成（光化学系II）阻害剤、トリアゾリノン系光合成（光化学系II）阻害剤、ウラシル系光合成（光化学系II）阻害剤、ピリダジノン系光合成（光化学系II）阻害剤、フェニルカーバメート系光合成（光化学系II）阻害剤、ウレア経光合成（光化学系II）阻害剤、アミド系光合成（光化学系II）阻害剤、ニトリル系光合成（光化学系II）阻害剤、ベンゾチアジアジノン系光合成（光化学系II）阻害剤、フェニルピリダジン系光合成（光化学系II）阻害剤、ビピリジリウム系光化学系Ｉ電子変換作用剤、ジフェニルエーテル系プロトポルフィリノーゲン酸化酵素（ＰＰＯ）阻害剤、フェニルピラゾール系プロトポルフィリノーゲン酸化酵素（ＰＰＯ）阻害剤、Ｎ−フェニルフタルイミド系プロトポルフィリノーゲン酸化酵素（ＰＰＯ）阻害剤、チアジアゾール系プロトポルフィリノーゲン酸化酵素（ＰＰＯ）阻害剤、オキサジアゾール系プロトポルフィリノーゲン酸化酵素（ＰＰＯ）阻害剤、トリアゾリノン系プロトポルフィリノーゲン酸化酵素（ＰＰＯ）阻害剤、オキサゾリジンジオン系プロトポルフィリノーゲン酸化酵素（ＰＰＯ）阻害剤、ピリミジンジオン系プロトポルフィリノーゲン酸化酵素（ＰＰＯ）阻害剤、プロトポルフィリノーゲン酸化酵素（ＰＰＯ）阻害剤、ピリダジノン系フィトエン脱飽和酵素系（ＰＤＳ）でのカロチノイド生合成阻害剤、ピリジンカルボキサミド系フィトエン脱飽和酵素系（ＰＤＳ）でのカロチノイド生合成阻害剤、フィトエン脱飽和酵素系（ＰＤＳ）でのカロチノイド生合成阻害剤、トリケトン系４−ヒドロキシフェニルピルビン酸ジオキシゲナーゼ酵素（４−ＨＰＰＤ）阻害剤、イソオキサゾール系４−ヒドロキシフェニルピルビン酸ジオキシゲナーゼ酵素（４−ＨＰＰＤ）阻害剤、ピラゾール系４−ヒドロキシフェニルピルビン酸ジオキシゲナーゼ酵素（４−ＨＰＰＤ）阻害剤、４−ヒドロキシフェニルピルビン酸ジオキシゲナーゼ酵素（４−ＨＰＰＤ）阻害剤、トリアゾール系カロチノイド生合成（標的部位不明）阻害剤、イソオキサゾリジノン系カロチノイド生合成（標的部位不明）阻害剤、ウレア系カロチノイド生合成（標的部位不明）阻害剤、ジフェニルエーテル系カロチノイド生合成（標的部位不明）阻害剤、グリシン系ＥＰＳＰ  合成酵素阻害剤、ホスフィン酸系グルタミン合成酵素阻害剤、カーバメート系ＤＨＰ（ジヒドロプテロイン酸）合成酵素阻害剤、ジニトロアニリン系微小管重合阻害剤、ホスホロアミデート系微小管重合阻害剤、ピリジン系微小管重合阻害剤、ベンズアミド系微小管重合阻害剤、安息香酸系微小管重合阻害剤、カーバメート系有糸分裂／微小管形成阻害剤、クロロアセトアミド系ＶＬＣＦＡの阻害剤（細胞分裂阻害剤）、アセトアミド系ＶＬＣＦＡの阻害剤（細胞分裂阻害剤）、オキシアセトアミド系ＶＬＣＦＡの阻害剤（細胞分裂阻害剤）、テトラゾリノン系ＶＬＣＦＡの阻害剤（細胞分裂阻害剤）、ＶＬＣＦＡの阻害剤（細胞分裂阻害剤）、ニトリル系細胞壁（セルロース）合成阻害剤、ベンズアミド系細胞壁（セルロース）合成阻害剤、トリアゾロカルボキサミド系細胞壁（セルロース）合成阻害剤、キノリンカルボン酸系細胞壁（セルロース）合成阻害剤、ジニトロフェノール系アンカップリング（膜破壊）剤、チオカーバメート系脂質合成阻害（非ＡＣＣａｓｅ阻害）剤、ホスホロジチオエート系脂質合成阻害（非ＡＣＣａｓｅ阻害）剤、ベンゾフラン系脂質合成阻害（非ＡＣＣａｓｅ阻害）剤、クロロ炭酸系脂質合成阻害（非ＡＣＣａｓｅ阻害）剤、フェノキシカルボン酸系インドール酢酸様活性（合成オーキシン）剤、安息香酸系インドール酢酸様活性（合成オーキシン）剤、ピリジンカルボン酸系インドール酢酸様活性（合成オーキシン）剤、キノリンカルボン酸系インドール酢酸様活性（合成オーキシン）剤、インドール酢酸様活性（合成オーキシン）剤、フタラメート系オーキシン移動阻害剤、セミカルバゾン系オーキシン移動阻害剤、アリールアミノプロピオン酸系化合物、ピラゾリウム系化合物、有機ヒ素系化合物、微生物、ブロモブチド、（クロル）−フルレノール、シンメチリン、クミルロン、ダゾメット、ダイムロン、メチルダイムロン、エトベンザニド、ホサミン、インダノファン、カーバム／カーバムナトリウム塩、オキサジクロメホン、オレイン酸、ペラルゴン酸、ピリブチカルブ、塩素酸塩並びにシアン酸塩からなる群から選択される除草剤である、請求項１ないし５のいずれか１項に記載の製剤。
【請求項７】
農薬の含有割合が、０．０１重量％〜１０重量％である、請求項１〜６のいずれか１項に記載の製剤。
【請求項８】
緩効性粒状肥料が、緩効性配合粒状肥料、化学合成緩効性粒状肥料、緩効性被覆粒状肥料、緩効性加圧成形粒状肥料または緩効性硝酸化成抑制剤配合肥料である、請求項１〜７のいずれか１項に記載の製剤。
【請求項９】
緩効性粒状肥料が、植物必須要素として、チッソ（Ｎ）、りん（Ｐ）、カリウム（Ｋ）、ケイ素（Ｓｉ）、マグネシウム（Ｍｇ）、マンガン（Ｍｎ）、ホウ素（Ｂ）、カルシウム（Ｃａ）および硫黄（Ｓ）からなる群から選択される肥料成分のいずれか１種以上を含有する、請求項１〜８のいずれか１項に記載の製剤。
【請求項１０】
緩効性粒状肥料が、植物必須要素として、チッソ（Ｎ）、りん（Ｐ）およびカリウム（Ｋ）を保証成分量３：２０：３の割合で含有する、請求項９に記載の製剤。
【請求項１１】
緩効性粒状肥料が、植物必須要素として、チッソ（Ｎ）、りん（Ｐ）およびカリウム（Ｋ）を保証成分量２：５：２の割合で含有する、請求項９に記載の製剤。
【請求項１２】
緩効性粒状肥料の含有割合が、０．１重量％〜９９．９重量％である、請求項８〜１１のいずれか１項に記載の製剤。
【請求項１３】
非石油系溶剤の含有割合が０．１重量％〜１０重量％である、請求項１〜７のいずれか１項に記載の製剤。
【請求項１４】
農薬の含有割合が０．０１重量％〜１０重量％、非石油系溶剤の含有割合が０．１重量％〜１０重量％、緩効性粒状肥料の含有割合が０．１重量％〜９９．９重量％である、請求項１〜１３のいずれか１項に記載の製剤。
【請求項１５】
農薬の含有割合が０．０３重量％〜５重量％、非石油系溶剤の含有割合が０．１重量％〜１０重量％、緩効性粒状肥料の含有割合が５０．０重量％〜９９．９ 重量％である請求項１４に記載の製剤。
【請求項１６】
請求項１〜１５のいずれか１項に記載の製剤の農業用、園芸用または家庭用園芸用のための使用。
【発明の詳細な説明】
【技術分野】
【０００１】
本発明は、農薬入り緩効性粒状肥料製剤およびその使用方法に関する。
【背景技術】
【０００２】
肥料は、多くの種類が存在し、その分類方法も多岐に渡るが、大別して、有機肥料と無機肥料に分類することができる。両者を混合した配合肥料も存在するが、両者の成分は、大きく異なるものの、植物に無機化合物の水溶成分が吸収される点で共通し、植物の栄養に供するため、様々の改良が行われている。
既存の化学肥料の中で、緩効性粒状肥料の代表例としては、リン酸マグネシウムカリウムとリン酸マグネシウムアンモニウムを所定の割合で均密に混和した組成物（特許文献１）が挙げられる。【０００３】
特開２００８−１３３２６７号公報（特許文献２）には、水稲吸汁性害虫による水稲被害を抑制する方法が開示されており、ネオニコチノイド系殺虫剤および珪酸質肥料を、水稲が移植された水田に水面施用することが記載されている。当該珪酸質肥料は、珪酸カルシウム、珪酸カリウム、液体珪酸カリウム等の肥料組成物中の可溶性珪酸の量が１０重量％以上である肥料と定義されているが、施用する際の作業性の観点から、農薬製剤と混合した農薬肥料混合物として、使用されている。【０００４】
ＷＯ２０１４／０９８２０３（特許文献３）には、１種以上の農薬成分が粒状肥料に含浸または粒状肥料の表面に付着されてなり、且つ１グラム当たりの粒数が１５〜８０の範囲である農薬含有粒状肥料組成物を、施肥機を用いて土壌に施用することを含む含農薬粒状肥料の施用方法が記載されている（請求項１参照）。当該施用方法で使用される農薬含有粒状肥料組成物は、市販の通常の化成肥料の原料に、コーティングオイル等の有機溶媒に所定量のネオニコチノイド系殺虫剤を含む農薬成分を添加して得られる混合液を当該化成肥料に混合して得ることが特徴であり、具体的には、コーティングオイル（実施例１ないし実施例３、実施例５）またはＣ１０−１１のアルキルベンゼン（実施例４）の溶剤に、農薬成分である、クロチアニジン（実施例１ないし実施例３）、フェニトロチオン（実施例４）またはフラメトピル（実施例５）を混合して混合液を得、得られた混合液を当該化成肥料に混合することにより製造されている。
【先行技術文献】
【特許文献】
【０００５】
【特許文献１】特公昭４４−１８８９１号公報
【特許文献２】特開２００８−１３３２６７号公報
【特許文献３】ＷＯ２０１４／０９８２０３
【発明の概要】
【発明が解決しようとする課題】
【０００６】
しかしながら、特許文献２で使用される珪酸質肥料および特許文献３で使用される化成肥料は、通常の可溶性の化学肥料である。【０００７】
通常の化学肥料は、肥効が持続しないため、追肥作業を含めた施肥労力が過重となる問題点がある。一方、緩効性肥料は、肥効が長時間持続するため、施肥労力の節減と肥料成分の効率利用に効果があるのみならず、環境への影響も少ないことから、近年その需要は着実に伸びている。
しかしながら、緩効性肥料に農薬を処理して得られる、農薬入り緩効性粒状肥料は、現在のところ、全く知られていない。
本発明は、緩効性粒状肥料と農薬成分を同時に植物に施用することができ、さらには植物には薬害等の悪影響を与えない農薬入り緩効性粒状肥料を製造することを課題とする。
【課題を解決するための手段】
【０００８】
上記課題を解決すべく鋭意検討を行ったところ、本発明者らは、農薬成分を溶解するために、非石油系溶剤を使用して、農薬および肥料を含有する、農薬入り緩効性粒状肥料製剤を調製したところ、当該緩効性粒状肥料製剤は、植物に薬害等の悪影響を及ぼさないことを見出し、本発明を完成した。【０００９】
すなわち、本発明は以下の態様を包含する。
（１）  非石油系溶剤および農薬有効成分を含有する、農薬入り緩効性粒状肥料製剤である。【００１０】
（２）  非石油系溶剤の水溶解度が１００ｐｐｍ以上である（１）に記載の製剤。【００１１】
（３）  非石油系溶剤がエーテル系溶剤、ニトリル系溶剤、アルコール系溶剤、ケトン系溶剤、カーボネート系溶剤、エステル系溶剤、アミド系溶剤、カルバミド系溶剤、スルホキシド系溶剤、スルホン系溶剤、アミン系溶剤、アルデヒド系溶剤、脂肪酸エステル系溶剤、含窒素担体系溶剤またはグリコールエーテル系溶剤である、（１）または（２）に記載の製剤。【００１２】
（４）  非石油系溶剤がグリコールエーテル系溶剤である、（１）〜（３）のいずれか１つに記載の製剤。【００１３】
（５）  さらに水および／または液体もしくは液状肥料を含有する、（１）ないし（４）のいずれか１つに記載の製剤。【００１４】
（６）  農薬が、カーバメート系アセチルコリンエステラーゼ（ＡＣｈＥ）阻害剤、有機りん系アセチルコリンエステラーゼ（ＡＣｈＥ）阻害剤、環状ジエン有機塩素系ＧＡＢＡ作動性塩素イオンチャネルアンタゴニスト、フェニルピラゾール系（フィプロール系）ＧＡＢＡ作動性塩素イオンチャネルアンタゴニスト、ピレスロイド系およびピレトリン系ナトリウムチャネルモジュレーター、ナトリウムチャネルモジュレーター、ネオニコチノイド系ニコチン性アセチルコリン受容体（ｎＡＣｈＲ）アゴニスト、ニコチン性アセチルコリン受容体（ｎＡＣｈＲ）アゴニスト、ブテノライド系ニコチン性アセチルコリン受容体（ｎＡＣｈＲ）アゴニスト、スピノシン系ニコチン性アセチルコリン受容体（ｎＡＣｈＲ）アロステリックモジュレーター、アベルメクチン系およびミルベマイシン系塩素イオンチャネルアクチベーター、幼若ホルモン類似剤、非特異的（マルチサイト）阻害剤、弦音器官モジュレーター、ダニ類成長阻害剤、微生物由来昆虫中腸内膜破壊剤、ミトコンドリアＡＴＰ合成酵素阻害剤、酸化的りん酸化脱共役剤、ネライストキシン類縁体ニコチン性アセチルコリン受容体（ｎＡＣｈＲ）チャネルブロッカー、ベンゾイル尿素系キチン生合成阻害剤（タイプ０）、キチン生合成阻害剤（タイプ１）、ハエ目昆虫脱皮阻害剤、ジアシル−ヒドラジン系脱皮ホルモン（エクダイソン）受容体アゴニスト、オクトパミン受容体アゴニスト、ミトコンドリア電子伝達系複合体III阻害剤、ミトコンドリア電子伝達系複合体Ｉ阻害剤（ＭＥＴＩ）、電位依存性ナトリウムチャネルブロッカー、テトロン酸およびテトラミン酸誘導体アセチルＣｏＡカルボキシラーゼ阻害剤、ホスフィン系ミトコンドリア電子伝達系複合体IV阻害剤、シアニド系ミトコンドリア電子伝達系複合体IV阻害剤、β−ケトニトリル誘導体ミトコンドリア電子伝達系複合体II阻害剤、ジアミド系リアノジン受容体モジュレーター、天敵昆虫・ダニ・線虫系生物農薬、微生物系生物農薬、気門封鎖型農薬、フェロモン剤、アザジラクチン、ベンゾメート（ベンゾキシメート）、ビフェナゼート、フェニソブロモレート（ブロモプロピレート）、キノキサリン系（キノメチオナート）、弗化アルミニウムナトリウム、ケルセン（例えばジコホルなど）、ピリダリル、ピリフルキナゾン、イオウ、りん酸第２鉄剤、メタアルデヒド並びに１，３−ジクロロプロペンからなる群から選択される殺虫剤；
アシルアラニン系ＰＡ殺菌剤（フェニルアミド類）、オキサゾリジノン系ＰＡ殺菌剤（フェニルアミド類）、ブチロラクトン系ＰＡ殺菌剤（フェニルアミド類）、ヒドロキシ（２−アミノ−）ピリミジン類、イソオキサゾール系芳香族ヘテロ環類、イソチアロン系芳香族ヘテロ環類、カルボン酸類、ベンゾイミダゾール系ＭＢＣ殺菌剤（メチルベンゾイミダゾールカーバメート）、チオファネート系ＭＢＣ殺菌剤（メチルベンゾイミダゾールカーバメート）、Ｎ−フェニルカーバメート類、トルアミド系ベンズアミド類、エチルアミノチアゾールカルボキサミド系チアゾールカルボキサミド類、フェニルウレア類、ピリジニルメチルベンゾアミド系ベンズアミド類、ピリミジンアミン類、ピラゾールカルボキサミド類、フェニルベンズアミド系ＳＤＨＩ（コハク酸脱水素酵素阻害剤）、フェニルオキソエチルチオフェンアミド系ＳＤＨＩ（コハク酸脱水素酵素阻害剤）、ピリジニルエチルベンズアミド系ＳＤＨＩ（コハク酸脱水素酵素阻害剤）、フランカルボキサミド系ＳＤＨＩ（コハク酸脱水素酵素阻害剤）、オキサチインカルボキサミド系ＳＤＨＩ（コハク酸脱水素酵素阻害剤）、チアゾールカルボキサミド系ＳＤＨＩ（コハク酸脱水素酵素阻害剤）、ピラゾール−４−カルボキサミド系ＳＤＨＩ（コハク酸脱水素酵素阻害剤）、ピリジンカルボキサミド系ＳＤＨＩ（コハク酸脱水素酵素阻害剤）、メトキシアクリレート系ＱｏＩ殺菌剤（Ｑｏ阻害剤）、メトキシアセトアミド系ＱｏＩ殺菌剤（Ｑｏ阻害剤）、メトキシカーバメート系ＱｏＩ殺菌剤（Ｑｏ阻害剤）、オキシイミノ酢酸系ＱｏＩ殺菌剤（Ｑｏ阻害剤）、オキシイミノアセトアミド系ＱｏＩ殺菌剤（Ｑｏ阻害剤）、オキサゾリジンジオン系ＱｏＩ殺菌剤（Ｑｏ阻害剤）、ジヒドロジオキサジン系ＱｏＩ殺菌剤（Ｑｏ阻害剤）、イミダゾリノン系ＱｏＩ殺菌剤（Ｑｏ阻害剤）、ベンジルカーバメート系ＱｏＩ殺菌剤（Ｑｏ阻害剤）、シアノイミダゾール系ＱｉＩ殺菌剤（Ｑｉ阻害剤）、スルファモイルトリアゾール系ＱｉＩ殺菌剤（Ｑｉ阻害剤）、ジニトロフェニルクロトン酸類、２，６−ジニトロアニリン類、トリフェニルスズ化合物系有機スズ化合物、チオフェンカルボキサミド類、トリアゾロピリミジルアミン系ＱｏＳＩ殺菌剤（Ｑｏ阻害剤、スチグマテリン結合タイプ）、アニリノピリミジン系ＡＰ殺菌剤（アニリノピリミジン類）、エノピラヌロン酸抗生物質、ヘキソピラノシル抗生物質、グルコピラノシル抗生物質、テトラサイクリン抗生物質、アリルオキシキノリン系アザ−ナフタレン類、キナゾリノン系アザ−ナフタレン類、フェニルピロール系ＰＰ殺菌剤（フェニルピロール類）、ジカルボキシイミド類、ホスホロチオレート類、ジチオラン類、芳香族炭化水素系ＡＨ殺菌剤（芳香族炭化水素、クロロフェニル類、ニトロアニリン類を含む）、１，２，４−チアジアゾール系複素芳香族、カーバメート類、Ｂａｃｉｌｌｕｓ属および産生された殺菌性リポペプチド系微生物（Ｂａｃｉｌｌｕｓ属）、テルペン炭化水素類およびテルペンアルコール系植物抽出物、ピペラジン系ＤＭＩ殺菌剤（脱メチル化阻害剤、ＳＢＩ：クラスＩ）、ピリジン系ＤＭＩ殺菌剤（脱メチル化阻害剤、ＳＢＩ：クラスＩ）、ピリミジン系ＤＭＩ殺菌剤（脱メチル化阻害剤、ＳＢＩ：クラスＩ）、イミダゾール系ＤＭＩ殺菌剤（脱メチル化阻害剤、ＳＢＩ：クラスＩ）、トリアゾール系ＤＭＩ殺菌剤（脱メチル化阻害剤、ＳＢＩ：クラスＩ）、トリアゾリンチオン系ＤＭＩ殺菌剤（脱メチル化阻害剤、ＳＢＩ：クラスＩ）、モルフォリン系アミン類（モルフォリン類、ＳＢＩ：クラスII）、ピペリジン系アミン類（モルフォリン類、ＳＢＩ：クラスII）、スピロケタールアミン系アミン類（モルフォリン類、ＳＢＩ：クラスII）、ヒドロキシアニリド類（ＳＢＩ：クラスIII）、アミノピラゾリノン系化合物（ＳＢＩ：クラスIII）、チオカーバメート類（ＳＢＩ：クラスIV）、アリルアミン類（ＳＢＩ：クラスIV）、グルコピラノシル抗生物質、ペプチジルピリミジンヌクレオシド系ポリオキシン類、桂皮酸アミド系ＣＡＡ殺菌剤（カルボン酸アミド類）、バリンアミドカーバメート系ＣＡＡ殺菌剤（カルボン酸アミド類）、マンデル酸アミド系ＣＡＡ殺菌剤（カルボン酸アミド類）、イソベンゾフラノン系ＭＢＩ−Ｒ（メラニン生合成阻害剤−還元酵素）、ピロロキノリノン系ＭＢＩ−Ｒ（メラニン生合成阻害剤−還元酵素）、トリアゾロベンゾチアゾール系ＭＢＩ−Ｒ（メラニン生合成阻害剤−還元酵素）、シクロプロパンカルボキサミド系ＭＢＩ−Ｄ（メラニン生合成阻害剤−脱水酵素）、カルボキサミド系ＭＢＩ−Ｄ（メラニン生合成阻害剤−脱水酵素）、プロピオンアミド系ＭＢＩ−Ｄ（メラニン生合成阻害剤−脱水酵素）、ベンゾチアジアゾール類、ベンゾイソチアゾール類、チアジアゾールカルボキサミド類、多糖類天然物、植物抽出物、シアノアセトアミドオキシム類、エチルホスホナート系ホスホナート類、ホスホナート類、フタラミン酸類、ベンゾトリアジン類、ベンゼンスルホンアミド類、ピリダジノン類、チオカーバメート化合物、フェニルアセトアミド化合物、ベンゾフェノン系アリルフェニルケトン化合物、ベンゾイルピリジン系アリルフェニルケトン化合物、グアニジン類、シアノメチレンチアゾリジン系チアゾリジン化合物、ピリミジノンヒドラゾン類、ピペリジニルチアゾールイソオキサゾリン類、酢酸４−キノリン化合物、無機化合物、ジチオカーバメート類およびその類縁体、フタルイミド類、クロロニトリル類（フタロニトリル類）、スルファミド類、グアニジン類、トリアジン類、キノン類（アントラキノン類）、キノキサリン類、マレイミド類、物理的阻害剤、炭酸水素塩剤、銀剤、有機銅剤並びに土壌消毒剤からなる群から選択される殺菌剤；
またはアリルオキシプロピオン酸エステル系アセチルＣｏＡカルボキシラーゼ（ＡＣＣａｓｅ）阻害剤、シクロヘキサンジオン系アセチルＣｏＡカルボキシラーゼ（ＡＣＣａｓｅ）阻害剤、フェニルピラゾリン系アセチルＣｏＡカルボキシラーゼ（ＡＣＣａｓｅ）阻害剤、スルホニルウレア系アセト乳酸合成酵素（ＡＬＳ）阻害剤（アセトヒドロキシ酸合成酵素（ＡＨＡＳ）阻害剤）、イミダゾリノン系アセト乳酸合成酵素（ＡＬＳ）阻害剤（アセトヒドロキシ酸合成酵素（ＡＨＡＳ）阻害剤）、トリアゾロピリミジン系アセト乳酸合成酵素（ＡＬＳ）阻害剤（アセトヒドロキシ酸合成酵素（ＡＨＡＳ）阻害剤）、ピリミジニル（チオ）ベンゾエート系アセト乳酸合成酵素（ＡＬＳ）阻害剤（アセトヒドロキシ酸合成酵素（ＡＨＡＳ）阻害剤）、スルホニルアミノカルボニルトリアゾリノン系アセト乳酸合成酵素（ＡＬＳ）阻害剤（アセトヒドロキシ酸合成酵素（ＡＨＡＳ）阻害剤）、トリアジン系光合成（光化学系II）阻害剤、トリアジノン系光合成（光化学系II）阻害剤、トリアゾリノン系光合成（光化学系II）阻害剤、ウラシル系光合成（光化学系II）阻害剤、ピリダジノン系光合成（光化学系II）阻害剤、フェニルカーバメート系光合成（光化学系II）阻害剤、ウレア経光合成（光化学系II）阻害剤、アミド系光合成（光化学系II）阻害剤、ニトリル系光合成（光化学系II）阻害剤、ベンゾチアジアジノン系光合成（光化学系II）阻害剤、フェニルピリダジン系光合成（光化学系II）阻害剤、ビピリジリウム系光化学系Ｉ電子変換作用剤、ジフェニルエーテル系プロトポルフィリノーゲン酸化酵素（ＰＰＯ）阻害剤、フェニルピラゾール系プロトポルフィリノーゲン酸化酵素（ＰＰＯ）阻害剤、Ｎ−フェニルフタルイミド系プロトポルフィリノーゲン酸化酵素（ＰＰＯ）阻害剤、チアジアゾール系プロトポルフィリノーゲン酸化酵素（ＰＰＯ）阻害剤、オキサジアゾール系プロトポルフィリノーゲン酸化酵素（ＰＰＯ）阻害剤、トリアゾリノン系プロトポルフィリノーゲン酸化酵素（ＰＰＯ）阻害剤、オキサゾリジンジオン系プロトポルフィリノーゲン酸化酵素（ＰＰＯ）阻害剤、ピリミジンジオン系プロトポルフィリノーゲン酸化酵素（ＰＰＯ）阻害剤、プロトポルフィリノーゲン酸化酵素（ＰＰＯ）阻害剤、ピリダジノン系フィトエン脱飽和酵素系（ＰＤＳ）でのカロチノイド生合成阻害剤、ピリジンカルボキサミド系フィトエン脱飽和酵素系（ＰＤＳ）でのカロチノイド生合成阻害剤、フィトエン脱飽和酵素系（ＰＤＳ）でのカロチノイド生合成阻害剤、トリケトン系４−ヒドロキシフェニルピルビン酸ジオキシゲナーゼ酵素（４−ＨＰＰＤ）阻害剤、イソオキサゾール系４−ヒドロキシフェニルピルビン酸ジオキシゲナーゼ酵素（４−ＨＰＰＤ）阻害剤、ピラゾール系４−ヒドロキシフェニルピルビン酸ジオキシゲナーゼ酵素（４−ＨＰＰＤ）阻害剤、４−ヒドロキシフェニルピルビン酸ジオキシゲナーゼ酵素（４−ＨＰＰＤ）阻害剤、トリアゾール系カロチノイド生合成（標的部位不明）阻害剤、イソオキサゾリジノン系カロチノイド生合成（標的部位不明）阻害剤、ウレア系カロチノイド生合成（標的部位不明）阻害剤、ジフェニルエーテル系カロチノイド生合成（標的部位不明）阻害剤、グリシン系ＥＰＳＰ合成酵素��害剤、ホスフィン酸系グルタミン合成酵素阻害剤、カーバメート系ＤＨＰ（ジヒドロプテロイン酸）合成酵素阻害剤、ジニトロアニリン系微小管重合阻害剤、ホスホロアミデート系微小管重合阻害剤、ピリジン系微小管重合阻害剤、ベンズアミド系微小管重合阻害剤、安息香酸系微小管重合阻害剤、カーバメート系有糸分裂／微小管形成阻害剤、クロロアセトアミド系ＶＬＣＦＡの阻害剤（細胞分裂阻害剤）、アセトアミド系ＶＬＣＦＡの阻害剤（細胞分裂阻害剤）、オキシアセトアミド系ＶＬＣＦＡの阻害剤（細胞分裂阻害剤）、テトラゾリノン系ＶＬＣＦＡの阻害剤（細胞分裂阻害剤）、ＶＬＣＦＡの阻害剤（細胞分裂阻害剤）、ニトリル系細胞壁（セルロース）合成阻害剤、ベンズアミド系細胞壁（セルロース）合成阻害剤、トリアゾロカルボキサミド系細胞壁（セルロース）合成阻害剤、キノリンカルボン酸系細胞壁（セルロース）合成阻害剤、ジニトロフェノール系アンカップリング（膜破壊）剤、チオカーバメート系脂質合成阻害（非ＡＣＣａｓｅ阻害）剤、ホスホロジチオエート系脂質合成阻害（非ＡＣＣａｓｅ阻害）剤、ベンゾフラン系脂質合成阻害（非ＡＣＣａｓｅ阻害）剤、クロロ炭酸系脂質合成阻害（非ＡＣＣａｓｅ阻害）剤、フェノキシカルボン酸系インドール酢酸様活性（合成オーキシン）剤、安息香酸系インドール酢酸様活性（合成オーキシン）剤、ピリジンカルボン酸系インドール酢酸様活性（合成オーキシン）剤、キノリンカルボン酸系インドール酢酸様活性（合成オーキシン）剤、インドール酢酸様活性（合成オーキシン）剤、フタラメート系オーキシン移動阻害剤、セミカルバゾン系オーキシン移動阻害剤、アリールアミノプロピオン酸系化合物、ピラゾリウム系化合物、有機ヒ素系化合物、微生物、ブロモブチド、（クロル）−フルレノール、シンメチリン、クミルロン、ダゾメット、ダイムロン、メチルダイムロン、エトベンザニド、ホサミン、インダノファン、カーバム／カーバムナトリウム塩、オキサジクロメホン、オレイン酸、ペラルゴン酸、ピリブチカルブ、塩素酸塩並びにシアン酸塩からなる群から選択される除草剤である、（１）〜（５）のいずれか１つに記載の製剤である。【００１５】
（６−１）  農薬が、カーバメート系アセチルコリンエステラーゼ（ＡＣｈＥ）阻害剤、有機りん系アセチルコリンエステラーゼ（ＡＣｈＥ）阻害剤、フェニルピラゾール系（フィプロール系）ＧＡＢＡ作動性塩素イオンチャネルアンタゴニスト、ピレスロイド系およびピレトリン系ナトリウムチャネルモジュレーター、ネオニコチノイド系ニコチン性アセチルコリン受容体（ｎＡＣｈＲ）アゴニスト、スピノシン系ニコチン性アセチルコリン受容体（ｎＡＣｈＲ）アロステリックモジュレーター、アベルメクチン系およびミルベマイシン系塩素イオンチャネルアクチベーター、弦音器官モジュレーター、酸化的りん酸化脱共役剤、ミトコンドリア電子伝達系複合体III阻害剤、ミトコンドリア電子伝達系複合体Ｉ阻害剤（ＭＥＴＩ）、電位依存性ナトリウムチャネルブロッカー、テトロン酸およびテトラミン酸誘導体アセチルＣｏＡカルボキシラーゼ阻害剤、ジアミド系リアノジン受容体モジュレーター、キノキサリン系（キノメチオナート）、ピリダリル並びにメタアルデヒドからなる群から選択される殺虫剤；
またはアシルアラニン系ＰＡ殺菌剤（フェニルアミド類）、オキサゾリジノン系ＰＡ殺菌剤（フェニルアミド類）、ブチロラクトン系ＰＡ殺菌剤（フェニルアミド類）、イソオキサゾール系芳香族ヘテロ環類、ベンゾイミダゾール系ＭＢＣ殺菌剤（メチルベンゾイミダゾールカーバメート）、Ｎ−フェニルカーバメート類、フェニルベンズアミド系ＳＤＨＩ（コハク酸脱水素酵素阻害剤）、フェニルオキソエチルチオフェンアミド系ＳＤＨＩ（コハク酸脱水素酵素阻害剤）、ピリジニルエチルベンズアミド系ＳＤＨＩ（コハク酸脱水素酵素阻害剤）、フランカルボキサミド系ＳＤＨＩ（コハク酸脱水素酵素阻害剤）、オキサチインカルボキサミド系ＳＤＨＩ（コハク酸脱水素酵素阻害剤）、チアゾールカルボキサミド系ＳＤＨＩ（コハク酸脱水素酵素阻害剤）、ピラゾール−４−カルボキサミド系ＳＤＨＩ（コハク酸脱水素酵素阻害剤）、ピリジンカルボキサミド系ＳＤＨＩ（コハク酸脱水素酵素阻害剤）、メトキシアクリレート系ＱｏＩ殺菌剤（Ｑｏ阻害剤）、メトキシアセトアミド系ＱｏＩ殺菌剤（Ｑｏ阻害剤）、メトキシカーバメート系ＱｏＩ殺菌剤（Ｑｏ阻害剤）、オキシイミノ酢酸系ＱｏＩ殺菌剤（Ｑｏ阻害剤）、オキシイミノアセトアミド系ＱｏＩ殺菌剤（Ｑｏ阻害剤）、オキサゾリジンジオン系ＱｏＩ殺菌剤（Ｑｏ阻害剤）、ジヒドロジオキサジン系ＱｏＩ殺菌剤（Ｑｏ阻害剤）、イミダゾリノン系ＱｏＩ殺菌剤（Ｑｏ阻害剤）、ベンジルカーバメート系ＱｏＩ殺菌剤（Ｑｏ阻害剤）、シアノイミダゾール系ＱｉＩ殺菌剤（Ｑｉ阻害剤）、スルファモイルトリアゾール系ＱｉＩ殺菌剤（Ｑｉ阻害剤）、２，６−ジニトロアニリン類、アニリノピリミジン系ＡＰ殺菌剤（アニリノピリミジン類）、フェニルピロール系ＰＰ殺菌剤（フェニルピロール類）、ジカルボキシイミド類、ピペラジン系ＤＭＩ殺菌剤（脱メチル化阻害剤、ＳＢＩ：クラスＩ）、ピリジン系ＤＭＩ殺菌剤（脱メチル化阻害剤、ＳＢＩ：クラスＩ）、ピリミジン系ＤＭＩ殺菌剤（脱メチル化阻害剤、ＳＢＩ：クラスＩ）、イミダゾール類系ＤＭＩ殺菌剤（脱メチル化阻害剤、ＳＢＩ：クラスＩ）、トリアゾール系ＤＭＩ殺菌剤（脱メチル化阻害剤、ＳＢＩ：クラスＩ）、トリアゾリンチオン系ＤＭＩ殺菌剤（脱メチル化阻害剤、ＳＢＩ：クラスＩ）、イソベンゾフラノン系ＭＢＩ−Ｒ（メラニン生合成阻害剤−還元酵素）、ピロロキノリノン系ＭＢＩ−Ｒ（メラニン生合成阻害剤−還元酵素）、トリアゾロベンゾチアゾール系ＭＢＩ−Ｒ（メラニン生合成阻害剤−還元酵素）、シクロプロパンカルボキサミド系ＭＢＩ−Ｄ（メラニン生合成阻害剤−脱水酵素）、カルボキサミド系ＭＢＩ−Ｄ（メラニン生合成阻害剤−脱水酵素）、プロピオンアミド系ＭＢＩ−Ｄ（メラニン生合成阻害剤−脱水酵素）、ベンゾチアジアゾール類、ベンゾイソチアゾール類、チアジアゾールカルボキサミド類、シアノアセトアミドオキシム類、ベンゼンスルホンアミド類、ピリダジノン類、グアニジン類並びにキノキサリン類からなる群から選択される殺菌剤である（１）〜（６））のいずれか１つに記載の製剤である。【００１６】
（６−２）  農薬が、カーバメート系アセチルコリンエステラーゼ（ＡＣｈＥ）阻害剤、有機りん系アセチルコリンエステラーゼ（ＡＣｈＥ）阻害剤、フェニルピラゾール系（フィプロール系）ＧＡＢＡ作動性塩素イオンチャネルアンタゴニスト、ピレスロイド系およびピレトリン系ナトリウムチャネルモジュレーター、ネオニコチノイド系ニコチン性アセチルコリン受容体（ｎＡＣｈＲ）アゴニスト、酸化的りん酸化脱共役剤、アベルメクチン系およびミルベマイシン系塩素イオンチャネルアクチベーター、弦音器官モジュレーター並びにジアミド系リアノジン受容体モジュレーターからなる群から選択される殺虫剤；
またはイソオキサゾール系芳香族ヘテロ環類、ベンゾイミダゾール系ＭＢＣ殺菌剤（メチルベンゾイミダゾールカーバメート）、フェニルベンズアミド系ＳＤＨＩ（コハク酸脱水素酵素阻害剤）、フェニルオキソエチルチオフェンアミド系ＳＤＨＩ（コハク酸脱水素酵素阻害剤）、ピリジニルエチルベンズアミド系ＳＤＨＩ（コハク酸脱水素酵素阻害剤）、フランカルボキサミド系ＳＤＨＩ（コハク酸脱水素酵素阻害剤）、オキサチインカルボキサミド系ＳＤＨＩ（コハク酸脱水素酵素阻害剤）、チアゾールカルボキサミド系ＳＤＨＩ（コハク酸脱水素酵素阻害剤）、ピラゾール−４−カルボキサミドＳＤＨＩ（コハク酸脱水素酵素阻害剤）、ピリジンカルボキサミド系ＳＤＨＩ（コハク酸脱水素酵素阻害剤）、メトキシアクリレート系ＱｏＩ殺菌剤（Ｑｏ阻害剤）、メトキシアセトアミド系ＱｏＩ殺菌剤（Ｑｏ阻害剤）、メトキシカーバメート系ＱｏＩ殺菌剤（Ｑｏ阻害剤）、オキシイミノ酢酸系ＱｏＩ殺菌剤（Ｑｏ阻害剤）、オキシイミノアセトアミド系ＱｏＩ殺菌剤（Ｑｏ阻害剤）、オキサゾリジンジオン系ＱｏＩ殺菌剤（Ｑｏ阻害剤）、ジヒドロジオキサジン系ＱｏＩ殺菌剤（Ｑｏ阻害剤）、イミダゾリノン系ＱｏＩ殺菌剤（Ｑｏ阻害剤）、ベンジルカーバメート系ＱｏＩ殺菌剤（Ｑｏ阻害剤）、ピペラジン系ＤＭＩ殺菌剤（脱メチル化阻害剤、ＳＢＩ：クラスＩ）、ピリジン系ＤＭＩ殺菌剤（脱メチル化阻害剤、ＳＢＩ：クラスＩ）、ピリミジン系ＤＭＩ殺菌剤（脱メチル化阻害剤、ＳＢＩ：クラスＩ）、イミダゾール系ＤＭＩ殺菌剤（脱メチル化阻害剤、ＳＢＩ：クラスＩ）、トリアゾール系ＤＭＩ殺菌剤（脱メチル化阻害剤、ＳＢＩ：クラスＩ）およびトリアゾリンチオン系ＤＭＩ殺菌剤（脱メチル化阻害剤、ＳＢＩ：クラスＩ）からなる群から選択される殺菌剤である、（１）〜（６−１）のいずれか１つに記載の製剤である。【００１７】
（６−３）  農薬が、アルジカルブ、ベンダイオカルブ、ブトカルボキシム、ブトキシカルボキシム、ＮＡＣ（カルバリル）、カルボフラン、エチオフェンカルブ、ＢＰＭＣ（フェノブカルブ）、ホルメタネート、ＭＩＰＣ（イソプロカルブ）、メソミル、ＭＴＭＣ（メトルカルブ）、オキサミル、ピリミカーブ、ＰＨＣ（プロポキスル）、チオファノックス、トリアザメート、ＸＭＣ、ＭＰＭＣ（キシリルカルブ）、アセフェート、アザメチホス、カズサホス、ＣＶＰ（クロルフェンビンホス）、ジメトン−Ｓ−メチル、ＤＤＶＰ（ジクロルボス）、ジクロトホス、ジメトエート、ジメチルビンホス、エトプロホス、フェナミホス、ホスチアゼート、ヘプテノホス、マラソン（マラチオン）、メカルバム、メタミドホス、ＤＭＴＰ（メチダチオン）、メビンホス、モノクロトホス、オメトエート、オキシジメトンメチル、ホスファミドン、プロペタムホス、チオメトン、ＤＥＰ（トリクロルホン）、バミドチオン、フルメトリン、フィプロニル、アセタミプリド、クロチアニジン、ジノテフラン、イミダクロプリド、ニテンピラム、チアクロプリド、チアメトキサム、硫酸ニコチン（ニコチン）、スルホキサフロル、フルピラジフロン、ピリプロキシフェン、臭化メチル（メチルブロマイド）、クロルピクリン、フッ化スルフリル、ホウ砂、吐酒石、ピメトロジン、フロニカミド、ＢＰＰＳ（プロパルギット）、ＤＮＯＣ、カルタップ、チオシクラム、チオスルタップナトリウム塩、シロマジン、りん化水素、青酸、アザジラクチン、弗化アルミニウムナトリウム、１，３−ジクロロプロペン、ジシクラニル、エチレンジブロマイド、サバジラおよびスルコフロンナトリウムからなる群から選択される殺虫剤；
またはフララキシル、メタラキシル、メタラキシルＭ、オキサジキシル、オフラセ、ジメチリモール、ヒドロキシイソキサゾール（ヒメキサゾール）、オクチリノン、フェンフラム、カルボキシン、オキシカルボキシン、フラメトピル、メトミノストロビン、シアゾファミド、ピリメタニル、カスガマイシン、ストレプトマイシン、ＩＢＰ（イプロベンホス）、エクロメゾール（エトリジアゾール）、プロパモカルブ、プロチオカルブ、ピリフェノックス、イマザリル、ペフラゾエート、トリフルミゾール、フルトリアホール、ミクロブタニル、プロピコナゾール、テトラコナゾール、フェンプロピジン、スピロキサミン、バリダマイシン、ポリオキシン、イプロバリカルブ、ピロキロン、シモキサニル、ホセチル、亜リン酸および塩、フルスルファミド、メタスルホカルブ、グアニジン（ドジン）、フェリムゾン、炭酸水素カリウム、ファーバム、グアザチン、イミノクタジン酢酸塩／イミノクタジンアルベシル酸塩（イミノクタジン）、硫酸銅、ホルムアルデヒド、８−ヒドロキシキノリンスルフェート、ヨードメタン、塩化第２水銀、メタム、臭化メチル、メチルイソチオシアネート、ミルジオマイシン、ナバム、フェニル水銀アセテート、２−フェニルフェノールおよびポロオキシンからなる群から選択される殺菌剤である、（１）〜（６−２）のいずれか１つに記載の製剤である。【００１８】
（６−４）  農薬がアセフェート、フィプロニル、アセタミプリド、イミダクロプリド、クロチアニジン、ジノテフラン、チアクロプリド、チアメトキサム、ニテンピラムおよびフロニカミドからなる群から選択される少なくとも１種である、（１）〜（６−３）のいずれか１つに記載の製剤である。【００１９】
（６−５）  農薬が、アセタミプリド、イミダクロプリド、クロチアニジン、ジノテフラン、チアクロプリド、チアメトキサムおよびニテンピラムからなる群から選択される少なくとも１種のネオニコチノイドである、（１）〜（６−４）のいずれか１つに記載の製剤である。【００２０】
（６−６）  農薬が、アセタミプリド、イミダクロプリド、クロチアニジン、ジノテフランおよびチアメトキサムからなる群から選択される少なくとも１種のネオニコチノイドである、（１）〜（６−５）のいずれか１つに記載の製剤である。【００２１】
（６―７）  農薬が、ジノテフランである、（１）〜（６−６）のいずれか１つに記載の製剤である。【００２２】
（７）  農薬の含有割合が、０．０１重量％〜１０重量％である、（１）〜（６）のいずれか１つに記載の製剤である。【００２３】
（８）  緩効性粒状肥料が、緩効性配合粒状肥料、化学合成緩効性粒状肥料、緩効性被覆粒状肥料、緩効性加圧成形粒状肥料または緩効性硝酸化成抑制剤配合肥料である、（１）〜（７）のいずれか１つに記載の製剤。【００２４】
（９）  緩効性粒状肥料が、植物必須要素として、チッソ（Ｎ）、りん（Ｐ）、カリウム（Ｋ）、ケイ素（Ｓｉ）、マグネシウム（Ｍｇ）、マンガン（Ｍｎ）、ホウ素（Ｂ）、カルシウム（Ｃａ）および硫黄（Ｓ）からなる群から選択される肥料成分のいずれか１種以上を含有する、（１）〜（８）のいずれか１つに記載の製剤である。【００２５】
（９−１）  緩効性粒状肥料が、植物必須要素として、チッソ（Ｎ）、りん（Ｐ）およびカリウム（Ｋ）からなる群から選択される肥料成分の少なくとも２種を含有する、（８）または（９）に記載の製剤である。【００２６】
（９−２）  緩効性粒状肥料が、植物必須要素として、チッソ（Ｎ）、りん（Ｐ）およびカリウム（Ｋ）の肥料成分を含有する、（８）〜（９−１）のいずれか１つに記載の製剤である。【００２７】
（９−３）  緩効性粒状肥料が、植物必須要素として、さらに鉄（Ｆｅ）、銅（Ｃｕ）、亜鉛（Ｚｎ）、モリブデン（Ｍｏ）、コバルト（Ｃｏ）および塩素（Ｃｌ）からなる群から選択される肥料成分のいずれか１種以上を含有する、（８）〜（９−２）のいずれか１つに記載の製剤である。【００２８】
（１０）  緩効性粒状肥料が、植物必須要素として、チッソ（Ｎ）、りん（Ｐ）およびカリウム（Ｋ）を保証成分量３：２０：３の割合で含有する、（９）に記載の製剤である。【００２９】
（１１）  緩効性粒状肥料が、植物必須要素として、チッソ（Ｎ）、りん（Ｐ）およびカリウム（Ｋ）を保証成分量２：５：２の割合で含有する、（９）に記載の製剤である。【００３０】
（１２）  緩効性粒状肥料の含有割合が、０．１重量％〜９９．９重量％である、（８）〜（１１）のいずれか１つに記載の製剤である。【００３１】
（１３）  非石油系溶剤の含有割合が０．１重量％〜１０重量％である、（１）〜（７）のいずれか１つに記載の製剤である。【００３２】
（１４）  農薬の含有割合が０．０１重量％〜１０重量％、非石油系溶剤の含有割合が０．１重量％〜１０重量％、緩効性粒状肥料の含有割合が０．１重量％〜９９．９重量％である、（１）〜（１３）のいずれか１つに記載の製剤である。【００３３】
（１５）  農薬の含有割合が０．０３重量％〜５重量％、非石油系溶剤の含有割合が０．１重量％〜１０重量％、緩効性粒状肥料の含有割合が５０．０重量％〜９９．８重量％である（１４）に記載の製剤である。【００３４】
（１６）  （１）〜（１５）のいずれか１つに記載の製剤の農業用園芸用または家庭用園芸用のための使用である。【００３５】
本発明の農薬入り緩効性粒状肥料製剤は、肥料成分の溶出の上で、特許文献２や３で使用される通常の可溶性の化学肥料とは本質的に異なる。
また、本発明の農薬入り緩効性粒状肥料製剤は、無機化合物を主成分とする無機肥料の分類に属し、特に化学的に合成された化学肥料を原料として製造することができる。
【発明の効果】
【００３６】
本発明によれば、植物に対する薬害が発生しない緩効性粒剤肥料農薬、すなわち、農薬成分または肥料成分の析出、前記各成分の分解・分離が抑制された農薬入り緩効性粒状肥料製剤を提供することができる。
【発明を実施するための形態】
【００３７】
本明細書で使用される各種の用語について説明する。
本明細書において「〜」を用いて示された数値範囲は、「〜」の前後に記載される数値をそれぞれ最小値および最大値として含む範囲を示す。さらに組成物中の各成分の含有量は、組成物中に各成分に該当する物質が複数存在する場合、特に断らない限り、組成物中に存在する当該複数の物質の合計量を意味する。
【００３８】
「農薬」とは、農作物（樹木および農林産物を含む。以下「農作物など」という。）を害する菌、線虫、だに、昆虫、ねずみその他の動植物またはウイルス（以下「病害虫」という。）の防除に用いられる殺菌剤、殺虫剤その他の薬剤（その薬剤を原料または材料として使用した資材で当該防除に用いられるものを含む。）および農作物などの生理機能の増進または抑制に用いられる植物成長調整剤、発芽抑制剤その他の薬剤をいうが、農薬は、農業用に使用される薬剤であれば特に制限はなく、いずれの薬剤も使用することができ、殺虫剤、殺菌剤および除草剤の何れであってもよい。農薬の具体例には、例えばアラニカルブ、アルジカルブ、ベンダイオカルブ、ベンフラカルブ、ブトカルボキシム、ブトキシカルボキシム、ＮＡＣ（カルバリル）、カルボフラン、カルボスルファン、エチオフェンカルブ、ＢＰＭＣ（フェノブカルブ）、ホルメタネート、フラチオカルブ、ＭＩＰＣ（イソプロカルブ）、メチオカルブ、メソミル、ＭＴＭＣ（メトルカルブ）、オキサミル、ピリミカーブ、ＰＨＣ（プロポキスル）、チオジカルブ、チオファノックス、トリアザメート、トリメタカルブ、ＸＭＣ、ＭＰＭＣ（キシリルカルブ）などのカーバメート系アセチルコリンエステラーゼ（ＡＣｈＥ）阻害剤、アセフェート、アザメチホス、アジンホスエチル、アジンホスメチル、カズサホス、クロレトキシホス、ＣＶＰ（クロルフェンビンホス）、クロルメホス、クロルピリホス、クロルピリホスメチル、クマホス、ＣＹＡＰ（シアノホス）、ジメトン−Ｓ−メチル、ダイアジノンＤＤＶＰ（ジクロルボス）、ジクロトホス、ジメトエート、ジメチルビンホス、エチルチオメトン（ジスルホトン）、ＥＰＮ、エチオン、エトプロホス、ファンフル、フェナミホス、ＭＥＰ（フェニトロチオン）、ＭＰＰ（フェンチオン）、ホスチアゼート、ヘプテノホス、イミシアホス、イソフェンホス、イソプロピル−ｏ−（メトキシアミノチオホスホリル）サリチラート、イソキサチオン、マラソン（マラチオン）、メカルバム、メタミドホス、ＤＭＴＰ（メチダチオン）、メビンホス、モノクロトホス、ＢＲＰ（ナレッド）、オメトエート、オキシジメトンメチル、パラチオン、メチルパラチオン（パラチオンメチル）、ＰＡＰ（フェントエート）、ホレート、ホサロン、ＰＭＰ（ホスメット）、ホスファミドン、ホキシム、ピリミホスメチル、プロフェノホス、プロペタムホス、プロチオホス、ピラクロホス、ピリダフェンチオン、キナルホス、スルホテップ、テブピリムホス、テメホス、テルブホス、ＣＶＭＰ（テトラクロルビンホス）、チオメトン、トリアゾホス、ＤＥＰ（トリクロルホン）、バミドチオンなどの有機りん系アセチルコリンエステラーゼ（ＡＣｈＥ）阻害剤、クロルデン、ベンゾエピン（エンドスルファン）などの環状ジエン有機塩素系ＧＡＢＡ作動性塩素イオンチャネルアンタゴニスト、アクリナトリン、アレスリン（アレスリン、ｄ−シス−トランス−、ｄ−トランス−異性体）、ビフェントリン、ビオアレスリン（ビオアレスリン、Ｓ−シクロペンテニル−異性体）、ビオレスメトリン、シクロプロトリン、シフルトリン（シフルトリン、β−異性体）、シハロトリン（シハロトリン、λ−、γ−異性体）、シペルメトリン（シペルメトリン、α−、β−、θ−、ζ−異性体）、シフェノトリン［（１Ｒ）−トランス異性体］、デルタメトリン、エンペントリン［（ＥＺ）−（１Ｒ）−異性体］、エスフェンバレレート、エトフェンプロックス、フェンプロパトリン、フェンバレレート、フルシトリネート、フルメトリン、フルバリネート（τ−フルバリネート）、ハルフェンプロックス、イミプロトリン、カデスリン、ペルメトリン、フェノトリン［（１Ｒ）−トランス異性体］、プラレトリン、ピレトリン、レスメトリン、シラフルオフェン、テフルトリン、フタルスリン（テトラメスリン）、テトラメスリン［（１Ｒ）−異性体］、トラロメトリン、トランスフルトリンなどのピレスロイド系およびピレトリン系ナトリウムチャネルモジュレーター、ＤＤＴ、メトキシクロルなどのナトリウムチャネルモジュレーター、アセタミプリド、クロチアニジン、ジノテフラン、イミダクロプリド、ニテンピラム、チアクロプリド、チアメトキサムなどのネオニコチノイド系ニコチン性アセチルコリン受容体（ｎＡＣｈＲ）アゴニスト、硫酸ニコチン（ニコチン）、スルホキサフロルなどのニコチン性アセチルコリン受容体（ｎＡＣｈＲ）アゴニスト、フルピラジフロンなどのブテノライド系ニコチン性アセチルコリン受容体（ｎＡＣｈＲ）アゴニスト、スピネトラム、スピノサドなどのスピノシン系ニコチン性アセチルコリン受容体（ｎＡＣｈＲ）アロステリックモジュレーター、アバメクチン、エマメクチン安息香酸塩、レピメクチン、ミルベメクチンなどのアベルメクチン系およびミルベマイシン系塩素イオンチャネルアクチベーター、ヒドロプレン、キノプレン、メトプレン、フェノキシカルブ、ピリプロキシフェンなどの幼若ホルモン類似剤、臭化メチル（メチルブロマイド）、臭化メチル以外のハロゲン化アルキル類、クロルピクリン、フッ化スルフリル、ホウ砂、吐酒石などの非特異的（マルチサイト）阻害剤、ピメトロジン、フロニカミドなどの弦音器官モジュレーター、クロフェンテジン、ヘキシチアゾクス、ジフロビダジン、エトキサゾールなどのダニ類成長阻害剤、Ｂ．ｔ．  ｓｕｂｓｐ．  ｉｓｒａｅｌｅｎｓｉｓ、Ｂ．ｔ．  ｓｕｂｓｐ．  ａｉｚａｗａｉ、Ｂ．ｔ．  ｓｕｂｓｐ．  ｋｕｒｓｔａｋｉ、Ｂ．ｔ．  ｓｕｂｓｐ．  ｔｅｎｅｂｒｉｏｎｉｓおよびＢ．ｔ．作物に含まれるタンパク質（Ｃｒｙ１Ａｂ、Ｃｒｙ１Ａｃ、Ｃｒｙ１Ｆａ、Ｃｒｙ１Ａ．１０５、Ｃｒｙ２Ａｂ、Ｖｉｐ３Ａ、ｍＣｒｙ３Ａ、Ｃｒｙ３Ａｂ、Ｃｒｙ３４Ａｂ１／Ｃｒｙ３５Ａｂ１）、Ｂａｃｉｌｌｕｓ  ｓｐｈａｅｒｉｃｕｓなどの微生物由来昆虫中腸内膜破壊剤、ジアフェンチウロン、アゾシクロチン、水酸化トリシクロヘキシルスズ（シヘキサチン）、酸化フェンブタスズ、ＢＰＰＳ（プロパルギット）、テトラジホンなどのミトコンドリアＡＴＰ合成酵素阻害剤、クロルフェナピル、ＤＮＯＣ、スルフルラミドなどの酸化的りん酸化脱共役剤、ベンスルタップ、カルタップ、チオシクラム、チオスルタップナトリウム塩などのネライストキシン類縁体ニコチン性アセチルコリン受容体（ｎＡＣｈＲ）チャネルブロッカー、ビストリフルロン、クロルフルアズロン、ジフルベンズロン、フルシクロクスロン、フルフェノクスロン、ヘキサフルムロ��、ルフェヌロン、ノバルロン、ノビフルムロン、テフルベンズロン、トリフルムロンなどのベンゾイル尿素系キチン生合成阻害剤（タイプ０）、ブプロフェジンなどのキチン生合成阻害剤（タイプ１）、シロマジンなどのハエ目昆虫脱皮阻害剤、クロマフェノジド、ハロフェノジド、メトキシフェノジド、テブフェノジドなどのジアシル−ヒドラジン系脱皮ホルモン（エクダイソン）受容体アゴニスト、アミトラズなどのオクトパミン受容体アゴニスト、ヒドラメチルノン、アセキノシル、フルアクリピリムなどのミトコンドリア電子伝達系複合体III阻害剤、フェナザキン、フェンピロキシメート、ピリミジフェン、ピリダベン、テブフェンピラド、トルフェンピラド、デリス（ロテノン）などのミトコンドリア電子伝達系複合体Ｉ阻害剤（ＭＥＴＩ）、インドキサカルブ、メタフルミゾンなどの電位依存性ナトリウムチャネルブロッカー、スピロジクロフェン、スピロメシフェン、スピロテトラマトなどのテトロン酸およびテトラミン酸誘導体アセチルＣｏＡカルボキシラーゼ阻害剤、りん化アルミニウム、りん化カルシウム、りん化水素、りん化亜鉛などのホスフィン系ミトコンドリア電子伝達系複合体IV阻害剤、青酸などのシアニド系ミトコンドリア電子伝達系複合体IV阻害剤、シエノピラフェン、シフルメトフェンなどのβ−ケトニトリル誘導体ミトコンドリア電子伝達系複合体II阻害剤、クロラントラニリプロール、シアントラニリプロール、フルベンジアミドなどのジアミド系リアノジン受容体モジュレーター、スタイナーネマ・カーポカプサエ、チリカブリダニ、ククメリスカブリダニ、ショクガタマバエ、ナミヒメハナカメムシ、タイリクヒメハナカメムシ、オンシツツヤコバチ、イサエアヒメコバチ、コレマンアブラバチ、ハモグリコマユバチ、ハモグリミドリヒメコバチなどの天敵昆虫・ダニ・線虫系生物農薬、パスツーリア・ペネトランス、バチルス・チューリンゲンシス（ＢＴ）、モナクロスポリウム・フィマトパガム、ペキロマイセス・テヌイペス、ボーベリア・ブロンニアティ、ボーベリア・バシアーナなどの微生物系生物農薬、澱粉、還元澱粉糖化物、マシン油、オレイン酸ナトリウムなどの気門封鎖型農薬、コナガコン−プラス、コンフューザーＧ、コンフューザーＮ、コンフューザーＶ、スカシバコン、ニトルアー（アメシロ）、ハマキコン−Ｎ、フェオディンＳＬ、ヨトウコン−Ｈ、ヨトウコン−Ｓなどのフェロモン剤、アザジラクチン、ベンゾメート（ベンゾキシメート）、ビフェナゼート、フェニソブロモレート（ブロモプロピレート）、キノキサリン系（キノメチオナート）、弗化アルミニウムナトリウム、ケルセン（ジコホル）、ピリダリル、ピリフルキナゾン、イオウ、りん酸第２鉄剤、メタアルデヒド並びに１，３−ジクロロプロペンからなる群から選択される殺虫剤；
ベナラキシル、ベナラキシルＭ、フララキシル、メタラキシル、メタラキシルＭなどのアシルアラニン系ＰＡ殺菌剤（フェニルアミド類）、オキサジキシルなどのオキサゾリジノン系ＰＡ殺菌剤（フェニルアミド類）、オフラセなどのブチロラクトン系ＰＡ殺菌剤（フェニルアミド類）、ブピリメート、ジメチリモール、エチリモールなどのヒドロキシ（２−アミノ−）ピリミジン類、ヒドロキシイソキサゾール（ヒメキサゾール）などのイソオキサゾール系芳香族ヘテロ環類、オクチリノンなどのイソチアゾロン系芳香族ヘテロ環類、オキソリニック酸などのカルボン酸類、ベノミル、カルベンダゾール（カルベンダジム）、フベリダゾール、チアベンダゾールなどのベンゾイミダゾール系ＭＢＣ殺菌剤（メチルベンゾイミダゾールカーバメート）、チオファネート、チオファネートメチルなどのチオファネート系ＭＢＣ殺菌剤（メチルベンゾイミダゾールカーバメート）、ジエトフェンカルブなどのＮ−フェニルカーバメート類、ゾキサミドなどのトルアミド系ベンズアミド類、エタボキサムなどのエチルアミノチアゾールカルボキサミド系チアゾールカルボキサミド類、ペンシクロンなどのフェニルウレア類、フルオピコリドなどのピリジニルメチルベンゾアミド系ベンズアミド類、ジフルメトリムなどのピリミジンアミン類、トルフェンピラドなどのピラゾールカルボキサミド類、ベノダニル、フルトラニル、メプロニルなどのフェニルベンズアミド類系ＳＤＨＩ（コハク酸脱水素酵素阻害剤）、イソフェタミドなどのフェニルオキソエチルチオフェンアミド系ＳＤＨＩ（コハク酸脱水素酵素阻害剤）、フルオピラムなどのピリジニルエチルベンズアミド系ＳＤＨＩ（コハク酸脱水素酵素阻害剤）、フェンフラムなどのフランカルボキサミド系ＳＤＨＩ（コハク酸脱水素酵素阻害剤）、カルボキシン、オキシカルボキシンなどのオキサチインカルボキサミド系ＳＤＨＩ（コハク酸脱水素酵素阻害剤）、チフルザミドなどのチアゾールカルボキサミド系ＳＤＨＩ（コハク酸脱水素酵素阻害剤）、ベンゾビンジフルピル、ビキサフェン、フルキサピロキサド、フラメトピル、イソピラザム、ペンフルフェン、ペンチオピラド、セダキサンなどのピラゾール−４−カルボキサミド系ＳＤＨＩ（コハク酸脱水素酵素阻害剤）、ボスカリドなどのピリジンカルボキサミド系ＳＤＨＩ（コハク酸脱水素酵素阻害剤）、アゾキシストロビン、クモキシストロビン、エノキサストロビン、フルフェノキシストロビン、ピコキシストロビン、ピラオキシストロビンなどのメトキシアクリレート類系ＱｏＩ殺菌剤（Ｑｏ阻害剤）、マンデストロビンなどのメトキシアセトアミド系ＱｏＩ殺菌剤（Ｑｏ阻害剤）、ピラクロストロビン、ピラメトストロビン、トリクロピリカルブなどのメトキシカーバメート系ＱｏＩ殺菌剤（Ｑｏ阻害剤）、クレソキシムメチル、トリフロキシストロビンなどのオキシイミノ酢酸系ＱｏＩ殺菌剤（Ｑｏ阻害剤）、ジモキシストロビン、フェナミンストロビン、メトミノストロビン、オリサストロビンなどのオキシイミノアセトアミド系ＱｏＩ殺菌剤（Ｑｏ阻害剤）、ファモキサドンなどのオキサゾリジンジオン系ＱｏＩ殺菌剤（Ｑｏ阻害剤）、フルオキサストロビンなどのジヒドロジオキサジン系ＱｏＩ殺菌剤（Ｑｏ阻害剤）、フェンアミドンなどのイミダゾリノン系ＱｏＩ殺菌剤（Ｑｏ阻害剤）、ピリベンカルブなどのベンジルカーバメート系ＱｏＩ殺菌剤（Ｑｏ阻害剤）、シアゾファミドなどのシアノイミダゾール系ＱｉＩ殺菌剤（Ｑｉ阻害剤）、アミスルブロムなどのスルファモイルトリアゾール系ＱｉＩ殺菌剤（Ｑｉ阻害剤）、ＢＩＮＡＰＡＣＲＩＬ（ビナパクリル）、メプチルジノカップ、ＤＰＣ（ジノカップ）などのジニトロフェニルクロトン酸類、フルアジナムなどの２，６−ジニトロアニリン類、酢酸トリフェニルスズ、塩化トリフェニルスズ、水酸化トリフェニルスズなどのトリフェニルスズ化合物系有機スズ化合物、シルチオファムなどのチオフェンカルボキサミド類、アメトクトラジンなどのトリアゾロピリミジルアミン系ＱｏＳＩ殺菌剤（Ｑｏ阻害剤、スチグマテリン結合タイプ）、シプロジニル、メパニピリム、ピリメタニルなどのアニリノピリミジン系ＡＰ殺菌剤（アニリノピリミジン類）、ブラストサイジンＳなどのエノピラヌロン酸抗生物質、カスガマイシンなどのヘキソピラノシル抗生物質、ストレプトマイシンなどのグルコピラノシル抗生物質、オキシテトラサイクリンなどのテトラサイクリン抗生物質、キノキシフェンなどのアリルオキシキノリン系アザ−ナフタレン類、プロキナジドなどのキナゾリノン系アザ−ナフタレン類、フェンピクロニル、フルジオキソニルなどのフェニルピロール系ＰＰ殺菌剤（フェニルピロール類）、クロゾリネート、イプロジオン、プロシミドン、ビンクロゾリンなどのジカルボキシイミド類、ＥＤＤＰ（エジフェンホス）、ＩＢＰ（イプロベンホス）、ピラゾホスなどのホスホロチオレート類、イソプロチオランなどのジチオラン類、ビフェニル、クロロネブ、ＣＮＡ（ジクロラン）、ＰＣＮＢ（キントゼン）、テクナゼン、トルクロホスメチルなどの芳香族炭化水素系ＡＨ殺菌剤（芳香族炭化水素、クロロフェニル類、ニトロアニリン類）、エクロメゾール（エトリジアゾール）などの１，２，４−チアジアゾール系複素芳香族、ヨードカルブ、プロパモカルブ、プロチオカルブなどのカーバメート類、バチルス  ズブチリス  ＱＳＴ７１３株、バチルス  ズブチリス  ＦＺＢ２４株、バチルス  ズブチリス  ＭＢＩ６００株、バチルス  ズブチリスＤ７４７株などのＢａｃｉｌｌｕｓ属および産生された殺菌性リポペプチド系微生物（Ｂａｃｉｌｌｕｓ属）、ゴセイカユプテ（ティーツリー）の抽出物などのテルペン炭化水素類およびテルペンアルコール系植物抽出物、トリホリンなどのピペラジン系ＤＭＩ殺菌剤（脱メチル化阻害剤、ＳＢＩ：クラスＩ）、ピリフェノックス、ピリソキサゾールなどのピリジン系ＤＭＩ殺菌剤（脱メチル化阻害剤、ＳＢＩ：クラスＩ）、フェナリモル、ヌアリモールなどのピリミジン系ＤＭＩ殺菌剤（脱メチル化阻害剤、ＳＢＩ：クラスＩ）、イマザリル、オキスポコナゾール、ペフラゾエート、プロクロラズ、トリフルミゾールなどのイミダゾール系ＤＭＩ殺菌剤（脱メチル化阻害剤、ＳＢＩ：クラスＩ）、アザコナゾール、ビテルタノール、ブロムコナゾール、シプロコナゾール、ジフェノコナゾール、ジニコナゾール、エポキシコナゾール、エタコナゾール、フェンブコナゾール、フルキンコナゾール、フルシラゾール、フルトリア���ール、ヘキサコナゾール、イミベンコナゾール、イプコナゾール、メトコナゾール、ミクロブタニル、ペンコナゾール、プロピコナゾール、シメコナゾール、テブコナゾール、テトラコナゾール、トリアジメホン、トリアジメノール、トリチコナゾールなどのトリアゾール系ＤＭＩ殺菌剤（脱メチル化阻害剤、ＳＢＩ：クラスＩ）、プロチオコナゾールなどのトリアゾリンチオン系ＤＭＩ殺菌剤（脱メチル化阻害剤、ＳＢＩ：クラスＩ）、アルジモルフ、ドデモルフ、フェンプロピモルフ、トリデモルフなどのモルフォリン系アミン類（モルフォリン類、ＳＢＩ：クラスII）、フェンプロピジン、ピペラリンなどのピペリジン系アミン類（モルフォリン類、ＳＢＩ：クラスII）、スピロキサミンなどのスピロケタールアミン系アミン類（モルフォリン類、ＳＢＩ：クラスII）、フェンヘキサミドなどのヒドロキシアニリド類（ＳＢＩ：クラスIII）、フェンピラザミンなどのアミノピラゾリノン系化合物（ＳＢＩ：クラスIII）、ピリブチカルブなどのチオカーバメート類（ＳＢＩ：クラスIV）、ナフチフィン、テルビナフィンなどのアリルアミン類（ＳＢＩ：クラスIV）、バリダマイシンなどのグルコピラノシル抗生物質、ポリオキシンなどのペプチジルピリミジンヌクレオシド系ポリオキシン類、ジメトモルフ、フルモルフ、ピリモルフなどの桂皮酸アミド系ＣＡＡ殺菌剤（カルボン酸アミド類）、ベンチアバリカルブ、イプロバリカルブ、バリフェナレートなどのバリンアミドカーバメート系ＣＡＡ殺菌剤（カルボン酸アミド類）、マンジプロパミドなどのマンデル酸アミド系ＣＡＡ殺菌剤（カルボン酸アミド類）、フサライドなどのイソベンゾフラノン系ＭＢＩ−Ｒ（メラニン生合成阻害剤−還元酵素）、ピロキロンなどのピロロキノリノン系ＭＢＩ−Ｒ（メラニン生合成阻害剤−還元酵素）、トリシクラゾールなどのトリアゾロベンゾチアゾール系ＭＢＩ−Ｒ（メラニン生合成阻害剤−還元酵素）、カルプロパミドなどのシクロプロパンカルボキサミド系ＭＢＩ−Ｄ（メラニン生合成阻害剤−脱水酵素）、ジクロシメットなどのカルボキサミド系ＭＢＩ−Ｄ（メラニン生合成阻害剤−脱水酵素）、フェノキサニルなどのプロピオンアミド系ＭＢＩ−Ｄ（メラニン生合成阻害剤−脱水酵素）、アシベンゾラルＳ  メチルなどのベンゾチアジアゾール類、プロベナゾールなどのベンゾイソチアゾール類、チアジニル、イソチアニルなどのチアジアゾールカルボキサミド類、ラミナリンなどの多糖類天然物、オオイタドリ抽出液などの植物抽出物、シモキサニルなどのシアノアセトアミドオキシム類、ホセチルなどのエチルホスホナート系ホスホナート類、亜りん酸およびその塩などのホスホナート類、テクロフタラムなどのフタラミン酸類、トリアゾキシドなどのベンゾトリアジン類、フルスルファミドなどのベンゼンスルホンアミド類、ジクロメジンなどのピリダジノン類、メタスルホカルブなどのチオカーバメート化合物、シフルフェナミドなどのフェニルアセトアミド化合物、メトラフェノンなどのベンゾフェノン系アリルフェニルケトン化合物、ピリオフェノンなどのベンゾイルピリジン系アリルフェニルケトン化合物、グアニジン（ドジン）などのグアニジン類、フルチアニルなどのシアノメチレンチアゾリジン系チアゾリ���ン化合物、フェリムゾンなどのピリミジノンヒドラゾン類、オキサチアピプロリンなどのピペリジニルチアゾールイソオキサゾリン類、テブフロキンなどの酢酸４−キノリン化合物、銅（種々の塩）、硫黄などの無機化合物、ファーバム、マンゼブ、マンネブ、メチラム、プロピネブ、チウラム、ジネブ、ジラムなどのジチオカーバメート類およびその類縁体、キャプタン、ダイホルタン（カプタホール）、ホルペットなどのフタルイミド類、ＴＰＮ（クロロタロニル）などのクロロニトリル類（フタロニトリル類）、スルフェン酸系（ジクロフルアニド）、トリルフルアニドなどのスルファミド類、グアザチン、イミノクタジン酢酸塩／イミノクタジンアルベシル酸塩（イミノクタジン）などのグアニジン類、トリアジン（アニラジン）などのトリアジン類、ジチアノンなどのキノン類（アントラキノン類）、キノキサリン系（キノメチオナート）などのキノキサリン類、フルオルイミドなどのマレイミド類、マシン油、有機油などの物理的阻害剤、炭酸水素カリウムなどの炭酸水素塩剤、銀剤、８−ヒドロキシキノリン銅、ドデシルベンゼンスルホン酸ビスエチレンジアミン銅錯塩（II）、ノニルフェノールスルホン酸銅塩などの有機銅剤並びにダゾメット、クロルピクリン、メチルイソチオシアネート、カーバムナトリウム塩、Ｎ−メチルジチオカルバミン酸アンモニウムなどの土壌消毒剤からなる群から選択される殺菌剤；
またはクロジナホッププロパルギル、シハロホップブチル、ジクロホップメチル、フェノキサプロップＰ  エチル、フルアジホップＰ、ハロキシホップＲ  メチル、プロパキザホップ、キザロホップＰ  エチルなどのアリルオキシプロピオン酸エステル系アセチルＣｏＡカルボキシラーゼ（ＡＣＣａｓｅ）阻害剤、アロキシジム、ブトロキシジム、クレトジム、シクロキシジム、プロホキシジム、セトキシジム、テプラロキシジム、トラルコキシジムなどのシクロヘキサンジオン系アセチルＣｏＡカルボキシラーゼ（ＡＣＣａｓｅ）阻害剤、ピノキサデンなどのフェニルピラゾリン系アセチルＣｏＡカルボキシラーゼ（ＡＣＣａｓｅ）阻害剤、アミドスルフロン、アジムスルフロン、ベンスルフロンメチル、クロリムロンエチル、クロルスルフロン、シノスルフロン、シクロスルファムロン、エタメトスルフロンメチル、エトキシスルフロン、フラザスルフロン、フルピルスルフロン、ホラムスルフロン、ハロスルフロンメチル、
イマゾスルフロン、ヨードスルフロン、メソスルフロン、メトスルフロンメチル、ニコスルフロン、オキサスルフロン、プリミスルフロン、プロスルフロン、ピラゾスルフロンエチル、リムスルフロン、スルホメツロンメチル、スルホスルフロン、チフェンスルフロンメチル、トリアスルフロン、トリベニュロンメチル、トリフロキシスルフロン、トリフルスルフロンメチル、トリトスルフロンなどのスルホニルウレア系アセト乳酸合成酵素（ＡＬＳ）阻害剤（アセトヒドロキシ酸合成酵素（ＡＨＡＳ）阻害剤）、イマザピック、イマザメタベンズメチル、イマザモックス、イマザピル、イマザキン、イマゼタピルなどのイミダゾリノン系アセト乳酸合成酵素（ＡＬＳ）阻害剤（アセトヒドロキシ酸合成酵素（ＡＨＡＳ）阻害剤）、クロランスラムメチル、ジクロスラム、フロラスラム、フルメツラム、メトスラム、ペノキススラムなどのトリアゾロピリミジン系アセト乳酸合成酵素（ＡＬＳ）阻害剤（アセトヒドロキシ酸合成酵素（ＡＨＡＳ）阻害剤）、ビスピリバック−ナトリウム塩、ピリベンゾキシム、ピリフタリド、ピリチオバック−ナトリウム塩、ピリミノバックメチルなどのピリミジニル（チオ）ベンゾエート系アセト乳酸合成酵素（ＡＬＳ）阻害剤（アセトヒドロキシ酸合成酵素（ＡＨＡＳ）阻害剤）、フルカルバゾン−ナトリウム塩、プロポキシカルバゾン−ナトリウム塩などのスルホニルアミノカルボニルトリアゾリノン系アセト乳酸合成酵素（ＡＬＳ）阻害剤（アセトヒドロキシ酸合成酵素（ＡＨＡＳ）阻害剤）、アメトリン、アトラジン、シアナジン、デスメトリン、ジメタメトリン、プロメトン、プロメトリン、プロパジン系（プロパジン）、ＣＡＴ（シマジン）、シメトリン、テルブメトン、テルブチラジン、テルブトリン、トリエタジンなどのトリアジン系光合成（光化学系II）阻害剤、ヘキサジノン、メタミトロン、メトリブジンなどのトリアジノン系光合成（光化学系II）阻害剤、アミカルバゾンなどのトリアゾリノン系光合成（光化学系II）阻害剤、ブロマシル、レナシル、ターバシルなどのウラシル系光合成（光化学系II）阻害剤、ＰＡＣ（クロリダゾン）などのピリダジノン系光合成（光化学系II）阻害剤、デスメディファム、フェンメディファムなどのフェニルカーバメート系光合成（光化学系II）阻害剤、クロルブロムロン、クロロトルロン、クロロクスロン、ジメフロン、ＤＣＭＵ（ジウロン）、エチジムロン、フェニュロン、フルオメツロン、イソプロツロン、イソウロン、リニュロン、メタベンズチアズロン、メトブロムロン、メトキスロン、モノリニュロン、ネブロン、シデュロン、テブチウロンなどのウレア経光合成（光化学系II）阻害剤、ＤＣＰＡ（プロパニル）、ＣＭＭＰ（ペンタノクロール）などのアミド系光合成（光化学系II）阻害剤、ブロモフェノキシム、ブロモキシニル、アイオキシニルなどのニトリル系光合成（光化学系II）阻害剤、ベンタゾンなどのベンゾチアジアジノン系光合成（光化学系II）阻害剤、ピリデート、ピリダフォルなどのフェニルピリダジン系光合成（光化学系II）阻害剤、ジクワット、パラコートなどのビピリジリウム系光化学系Ｉ電子変換作用剤、アシフルオルフェン、ビフェノックス、クロメトキシニル（クロメトキシフェン）、フルオログ��コフェンエチル、ホメサフェン、ハロサフェン、ラクトフェン、オキシフローフェンなどのジフェニルエーテル系プロトポルフィリノーゲン酸化酵素（ＰＰＯ）阻害剤、フルアゾレート、ピラフルフェンエチルなどのフェニルピラゾール系プロトポルフィリノーゲン酸化酵素（ＰＰＯ）阻害剤、シニドンエチル、フルミオキサジン、フルミクロラックペンチルなどのＮ−フェニルフタルイミド系プロトポルフィリノーゲン酸化酵素（ＰＰＯ）阻害剤、フルチアセットメチル、チジアジミンなどのチアジアゾール系プロトポルフィリノーゲン酸化酵素（ＰＰＯ）阻害剤、オキサジアゾン、オキサジアルギルなどのオキサジアゾール系プロトポルフィリノーゲン酸化酵素（ＰＰＯ）阻害剤、アザフェニジン、カルフェントラゾンエチル、スルフェントラゾンなどのトリアゾリノン系プロトポルフィリノーゲン酸化酵素（ＰＰＯ）阻害剤、ペントキサゾンなどのオキサゾリジンジオン系プロトポルフィリノーゲン酸化酵素（ＰＰＯ）阻害剤、ベンズフェンジゾン、ブタフェナシルなどのピリミジンジオン系プロトポルフィリノーゲン酸化酵素（ＰＰＯ）阻害剤、ピラクロニル、プロフルアゾール、フルフェンピルエチルなどのプロトポルフィリノーゲン酸化酵素（ＰＰＯ）阻害剤、ノルフルラゾンなどのピリダジノン系フィトエン脱飽和酵素系（ＰＤＳ）でのカロチノイド生合成阻害剤、ジフルフェニカン、ピコリナフェンなどのピリジンカルボキサミド系フィトエン脱飽和酵素系（ＰＤＳ）でのカロチノイド生合成阻害剤、ベフルブタミド、フルリドン、フルロクロリドン、フルルタモンなどのフィトエン脱飽和酵素系（ＰＤＳ）でのカロチノイド生合成阻害剤、メソトリオン、スルコトリオンなどのトリケトン系４−ヒドロキシフェニルピルビン酸ジオキシゲナーゼ酵素（４−ＨＰＰＤ）阻害剤、イソキサクロルトール、イソキサフルトールなどのイソオキサゾール系４−ヒドロキシフェニルピルビン酸ジオキシゲナーゼ酵素（４−ＨＰＰＤ）阻害剤、ベンゾフェナップ、ピラゾレート（ピラゾリネート）、ピラゾキシフェンなどのピラゾール系４−ヒドロキシフェニルピルビン酸ジオキシゲナーゼ酵素（４−ＨＰＰＤ）阻害剤、ベンゾビシクロンなどの４−ヒドロキシフェニルピルビン酸ジオキシゲナーゼ酵素（４−ＨＰＰＤ）阻害剤、ＡＴＡ（アミトロール）などのトリアゾール系カロチノイド生合成（標的部位不明）阻害剤、クロマゾンなどのイソオキサゾリジノン系カロチノイド生合成（標的部位不明）阻害剤、フルオメツロンなどのウレア系カロチノイド生合成（標的部位不明）阻害剤、アクロニフェンなどのジフェニルエーテル系カロチノイド生合成（標的部位不明）阻害剤、グリホサート、グリホサートトリメシウム塩（スルホサート）などのグリシン系ＥＰＳＰ合成酵素阻害剤、グルホシネート、ビアラホス（ビラナホス）などのホスフィン酸系グルタミン合成酵素阻害剤、アシュラムなどのカーバメート系ＤＨＰ（ジヒドロプテロイン酸）合成酵素阻害剤、ベスロジン（ベンフルラリン）、ブトルアリン、ジニトラミン、エタルフルラリン、オリザリン、ペンディメタリン、トリフルラリンなどのジニトロアニリン系微小管重合阻害剤、アミプロホスメチル、ブタミホスなどのホスホロアミデート系微小管重合阻害��、ジチオピル、チアゾピルなどのピリジン系微小管重合阻害剤、プロピザミド、テブタムなどのベンズアミド系微小管重合阻害剤、ＴＣＴＰ（クロルタールジメチル）などの安息香酸系微小管重合阻害剤、ＩＰＣ（クロルプロファム）、プロファム、カルベタミドなどのカーバメート系有糸分裂／微小管形成阻害剤、アセトクロール、アラクロール、ブタクロール、ジメタクロール、ジメテナミド、メタザクロール、メトラクロール、ペトキサミド、プレチラクロール、プロパクロール、プロピソクロール、テニルクロールなどのクロロアセトアミド系ＶＬＣＦＡの阻害剤（細胞分裂阻害剤）、ジフェナミド、ナプロパミド、ナプロアニリドなどのアセトアミド系ＶＬＣＦＡの阻害剤（細胞分裂阻害剤）、フルフェナセット、メフェナセットなどのオキシアセトアミド系ＶＬＣＦＡの阻害剤（細胞分裂阻害剤）、フェントラザミドなどのテトラゾリノン系ＶＬＣＦＡの阻害剤（細胞分裂阻害剤）、アニロホス、カフェンストロール、ピペロホスなどのＶＬＣＦＡの阻害剤（細胞分裂阻害剤）、ＤＢＮ（ジクロベニル）、ＤＣＢＮ（クロルチアミド）などのニトリル系細胞壁（セルロース）合成阻害剤、イソキサベンなどのベンズアミド系細胞壁（セルロース）合成阻害剤、フルポキサムなどのトリアゾロカルボキサミド系細胞壁（セルロース）合成阻害剤、キンクロラックなどのキノリンカルボン酸系細胞壁（セルロース）合成阻害剤、ＤＮＯＣ、ＤＮＢＰ（ジノセブ）、ジノテルブなどのジニトロフェノール系アンカップリング（膜破壊）剤、ブチレート、ヘキシルチオカルバム（シクロエート）、ジメピペレート、ＥＰＴＣ、エスプロカルブ、モリネート、オルベンカルブ、ペブレート、プロスルホカルブ、ベンチオカーブ（チオベンカルブ）、チオカルバジル、トリアレート、バーナレートなどのチオカーバメート系脂質合成阻害（非ＡＣＣａｓｅ阻害）剤、ＳＡＰ（ベンスリド）などのホスホロジチオエート系脂質合成阻害（非ＡＣＣａｓｅ阻害）剤、ベンフレセート、エトフメセートなどのベンゾフラン系脂質合成阻害（非ＡＣＣａｓｅ阻害）剤、ＴＣＡ、ＤＰＡ（ダラポン）、テトラピオン（フルプロパネート）などのクロロ炭酸系脂質合成阻害（非ＡＣＣａｓｅ阻害）剤、クロメプロップ、２，４−ＰＡ（２，４−Ｄ）、２，４−ＤＢ、ジクロルプロップ、ＭＣＰＡ、ＭＣＰＢ、ＭＣＰＰ（メコプロップ）などのフェノキシカルボン酸系インドール酢酸様活性（合成オーキシン）剤、クロランベン、ＭＤＢＡ（ジカンバ）、ＴＣＢＡ（２，３，６−ＴＢＡ）などの安息香酸系インドール酢酸様活性（合成オーキシン）剤、クロピラリド、フルロキシピル、ピクロラム、トリクロピルなどのピリジンカルボン酸系インドール酢酸様活性（合成オーキシン）剤、キンクロラック、キンメラックなどのキノリンカルボン酸系インドール酢酸様活性（合成オーキシン）剤、ベナゾリンエチルなどのインドール酢酸様活性（合成オーキシン）剤、ＮＰＡ（ナプタラム）などのフタラメート系オーキシン移動阻害剤、ジフルフェンゾピル−ナトリウム塩などのセミカルバゾン系オーキシン移動阻害剤、フランプロップＭメチル／イソプロピルなどのアリールアミノプロピオン酸系化合物、ジフェンゾコートなどのピラゾリウム系化��物、ＤＳＭＡ、ＭＳＭＡなどの有機ヒ素系化合物、ザントモナス・キャンペストリスなどの微生物、ブロモブチド、（クロル）−フルレノール、シンメチリン、クミルロン、ダゾメット、ダイムロン、メチルダイムロン、エトベンザニド、ホサミン、インダノファン、カーバム／カーバムナトリウム塩、オキサジクロメホン、オレイン酸、ペラルゴン酸、ピリブチカルブ、塩素酸塩並びにシアン酸塩からなる群から選択される除草剤を挙げることができる。
【００３９】
中でも、農薬は、カーバメート系アセチルコリンエステラーゼ（ＡＣｈＥ）阻害剤、有機りん系アセチルコリンエステラーゼ（ＡＣｈＥ）阻害剤、フェニルピラゾール系（フィプロール系）ＧＡＢＡ作動性塩素イオンチャネルアンタゴニスト、ピレスロイド系およびピレトリン系ナトリウムチャネルモジュレーター、ネオニコチノイド系ニコチン性アセチルコリン受容体（ｎＡＣｈＲ）アゴニスト、スピノシン系ニコチン性アセチルコリン受容体（ｎＡＣｈＲ）アロステリックモジュレーター、アベルメクチン系およびミルベマイシン系塩素イオンチャネルアクチベーター、弦音器官モジュレーター、酸化的りん酸化脱共役剤、ミトコンドリア電子伝達系複合体III阻害剤、ミトコンドリア電子伝達系複合体Ｉ阻害剤（ＭＥＴＩ）、電位依存性ナトリウムチャネルブロッカー、テトロン酸およびテトラミン酸誘導体アセチルＣｏＡカルボキシラーゼ阻害剤、ジアミド系リアノジン受容体モジュレーター、キノキサリン系（キノメチオナート）並びにピリダリルおよびメタアルデヒドからなる群から選択される殺虫剤；
またはアシルアラニン系ＰＡ殺菌剤（フェニルアミド類）、オキサゾリジノン系ＰＡ殺菌剤（フェニルアミド類）、ブチロラクトン系ＰＡ殺菌剤（フェニルアミド類）、イソオキサゾール系芳香族ヘテロ環類、ベンゾイミダゾール系ＭＢＣ殺菌剤（メチルベンゾイミダゾールカーバメート）、Ｎ−フェニルカーバメート類、フェニルベンズアミド系ＳＤＨＩ（コハク酸脱水素酵素阻害剤）、フェニルオキソエチルチオフェンアミド系ＳＤＨＩ（コハク酸脱水素酵素阻害剤）、ピリジニルエチルベンズアミド系ＳＤＨＩ（コハク酸脱水素酵素阻害剤）、フランカルボキサミド系ＳＤＨＩ（コハク酸脱水素酵素阻害剤）、オキサチインカルボキサミド系ＳＤＨＩ（コハク酸脱水素酵素阻害剤）、チアゾールカルボキサミド系ＳＤＨＩ（コハク酸脱水素酵素阻害剤）、ピラゾール−４−カルボキサミド系ＳＤＨＩ（コハク酸脱水素酵素阻害剤）、ピリジンカルボキサミド系ＳＤＨＩ（コハク酸脱水素酵素阻害剤）、メトキシアクリレート系ＱｏＩ殺菌剤（Ｑｏ阻害剤）、メトキシアセトアミド系ＱｏＩ殺菌剤（Ｑｏ阻害剤）、メトキシカーバメート系ＱｏＩ殺菌剤（Ｑｏ阻害剤）、オキシイミノ酢酸系ＱｏＩ殺菌剤（Ｑｏ阻害剤）、オキシイミノアセトアミド系ＱｏＩ殺菌剤（Ｑｏ阻害剤）、オキサゾリジンジオン系ＱｏＩ殺菌剤（Ｑｏ阻害剤）、ジヒドロジオキサジン系ＱｏＩ殺菌剤（Ｑｏ阻害剤）、イミダゾリノン系ＱｏＩ殺菌剤（Ｑｏ阻害剤）、ベンジルカーバメート系ＱｏＩ殺菌剤（Ｑｏ阻害剤）、シアノイミダゾール系ＱｉＩ殺菌剤（Ｑｉ阻害剤）、スルファモイルトリアゾール系ＱｉＩ殺菌剤（Ｑｉ阻害剤）、２，６−ジニトロアニリン類、アニリノピリミジン系ＡＰ殺菌剤（アニリノピリミジン類）、フェニルピロール系ＰＰ殺菌剤（フェニルピロール類）、ジカルボキシイミド類、ピペラジン系ＤＭＩ殺菌剤（脱メチル化阻害剤、ＳＢＩ：クラスＩ）、ピリジン系ＤＭＩ殺菌剤（脱メチル化阻害剤、ＳＢＩ：クラスＩ）、ピリミジン系ＤＭＩ殺菌剤（脱メチル化阻害剤、ＳＢＩ：クラスＩ）、イミダゾール系ＤＭＩ殺菌剤（脱メチル化阻害剤、ＳＢＩ：クラスＩ）、トリアゾール系ＤＭＩ殺菌剤（脱メチル化阻害剤、ＳＢＩ：クラスＩ）、トリアゾリンチオン系ＤＭＩ殺菌剤（脱メチル化阻害剤、ＳＢＩ：クラスＩ）、イソベンゾフラノン系ＭＢＩ−Ｒ（メラニン生合成阻害剤−還元酵素）、ピロロキノリノン系ＭＢＩ−Ｒ（メラニン生合成阻害剤−還元酵素）、トリアゾロベンゾチアゾール系ＭＢＩ−Ｒ（メラニン生合成阻害剤−還元酵素）、シクロプロパンカルボキサミド系ＭＢＩ−Ｄ（メラニン生合成阻害剤−脱水酵素）、カルボキサミド系ＭＢＩ−Ｄ（メラニン生合成阻害剤−脱水酵素）、プロピオンアミド系ＭＢＩ−Ｄ（メラニン生合成阻害剤−脱水酵素）、ベンゾチアジアゾール類、ベンゾイソチアゾール類、チアジアゾールカルボキサミド類、シアノアセトアミドオキシム類、ベンゼンスルホンアミド類、ピリダジノン類、グアニジン類並びにキノキサリン類からなる群から選択される殺菌剤などが好ましい。
【００４０】
農薬は、特にカーバメート系アセチルコリンエステラーゼ（ＡＣｈＥ）阻害剤、有機りん系アセチルコリンエステラーゼ（ＡＣｈＥ）阻害剤、フェニルピラゾール系（フィプロール系）ＧＡＢＡ作動性塩素イオンチャネルアンタゴニスト、ピレスロイド系およびピレトリン系ナトリウムチャネルモジュレーター、ネオニコチノイド系ニコチン性アセチルコリン受容体（ｎＡＣｈＲ）アゴニスト、酸化的りん酸化脱共役剤、アベルメクチン系およびミルベマイシン系塩素イオンチャネルアクチベーター、弦音器官モジュレーター並びにジアミド系リアノジン受容体モジュレーターからなる群から選択される殺虫剤；
またはイソオキサゾール系芳香族ヘテロ環類、ベンゾイミダゾール系ＭＢＣ殺菌剤（メチルベンゾイミダゾールカーバメート）、フェニルベンズアミド系ＳＤＨＩ（コハク酸脱水素酵素阻害剤）、フェニルオキソエチルチオフェンアミド系ＳＤＨＩ（コハク酸脱水素酵素阻害剤）、ピリジニルエチルベンズアミド類系ＳＤＨＩ（コハク酸脱水素酵素阻害剤）、フランカルボキサミド系ＳＤＨＩ（コハク酸脱水素酵素阻害剤）、オキサチインカルボキサミド系ＳＤＨＩ（コハク酸脱水素酵素阻害剤）、チアゾールカルボキサミド系ＳＤＨＩ（コハク酸脱水素酵素阻害剤）、ピラゾール−４−カルボキサミドＳＤＨＩ（コハク酸脱水素酵素阻害剤）、ピリジンカルボキサミド系ＳＤＨＩ（コハク酸脱水素酵素阻害剤）、メトキシアクリレート系ＱｏＩ殺菌剤（Ｑｏ阻害剤）、メトキシアセトアミド系ＱｏＩ殺菌剤（Ｑｏ阻害剤）、メトキシカーバメート系ＱｏＩ殺菌剤（Ｑｏ阻害剤）、オキシイミノ酢酸系ＱｏＩ殺菌剤（Ｑｏ阻害剤）、オキシイミノアセトアミド系ＱｏＩ殺菌剤（Ｑｏ阻害剤）、オキサゾリジンジオン系ＱｏＩ殺菌剤（Ｑｏ阻害剤）、ジヒドロジオキサジン系ＱｏＩ殺菌剤（Ｑｏ阻害剤）、イミダゾリノン系ＱｏＩ殺菌剤（Ｑｏ阻害剤）、ベンジルカーバメート系ＱｏＩ殺菌剤（Ｑｏ阻害剤）、ピペラジン系ＤＭＩ殺菌剤（脱メチル化阻害剤、ＳＢＩ：クラスＩ）、ピリジン系ＤＭＩ殺菌剤（脱メチル化阻害剤、ＳＢＩ：クラスＩ）、ピリミジン系ＤＭＩ殺菌剤（脱メチル化阻害剤、ＳＢＩ：クラスＩ）、イミダゾール系ＤＭＩ殺菌剤（脱メチル化阻害剤、ＳＢＩ：クラスＩ）、トリアゾール系ＤＭＩ殺菌剤（脱メチル化阻害剤、ＳＢＩ：クラスＩ）およびトリアゾリンチオン類系ＤＭＩ殺菌剤（脱メチル化阻害剤、ＳＢＩ：クラスＩ）からなる群から選択される殺菌剤などが好ましい。
【００４１】
具体的な農薬の例としては、例えばアルジカルブ、ベンダイオカルブ、ブトカルボキシム、ブトキシカルボキシム、ＮＡＣ（カルバリル）、カルボフラン、エチオフェンカルブ、ＢＰＭＣ（フェノブカルブ）、ホルメタネート、ＭＩＰＣ（イソプロカルブ）、メソミル、ＭＴＭＣ（メトルカルブ）、オキサミル、ピリミカーブ、ＰＨＣ（プロポキスル）、チオファノックス、トリアザメート、ＸＭＣ、ＭＰＭＣ（キシリルカルブ）、アセフェート、アザメチホス、カズサホス、ＣＶＰ（クロルフェンビンホス）、ジメトン−Ｓ−メチル、ＤＤＶＰ（ジクロルボス）、ジクロトホス、ジメトエート、ジメチルビンホス、エトプロホス、フェナミホス、ホスチアゼート、ヘプテノホス、マラソン（マラチオン）、メカルバム、メタミドホス、ＤＭＴＰ（メチダチオン）、メビンホス、モノクロトホス、オメトエート、オキシジメトンメチル、ホスファミドン、プロペタムホス、チオメトン、ＤＥＰ（トリクロルホン）、バミドチオン、フルメトリン、フィプロニル、アセタミプリド、クロチアニジン、ジノテフラン、イミダクロプリド、ニテンピラム、チアクロプリド、チアメトキサム、硫酸ニコチン（ニコチン）、スルホキサフロル、フルピラジフロン、ピリプロキシフェン、臭化メチル（メチルブロマイド）、クロルピクリン、フッ化スルフリル、ホウ砂、吐酒石、ピメトロジン、フロニカミド、ＢＰＰＳ（プロパルギット）、ＤＮＯＣ、カルタップ、チオシクラム、チオスルタップナトリウム塩、シロマジン、りん化水素、青酸、アザジラクチン、弗化アルミニウムナトリウム、１，３−ジクロロプロペン、ジシクラニル、エチレンジブロマイド、サバジラおよびスルコフロンナトリウムからなる群から選択される殺虫剤；
並びにフララキシル、メタラキシル、メタラキシルＭ、オキサジキシル、オフラセ、ジメチリモール、ヒドロキシイソキサゾール（ヒメキサゾール）、オクチリノン、フェンフラム、カルボキシン、オキシカルボキシン、フラメトピル、メトミノストロビン、シアゾファミド、ピリメタニル、カスガマイシン、ストレプトマイシン、ＩＢＰ（イプロベンホス）、エクロメゾール（エトリジアゾール）、プロパモカルブ、プロチオカルブ、ピリフェノックス、イマザリル、ペフラゾエート、トリフルミゾール、フルトリアホール、ミクロブタニル、プロピコナゾール、テトラコナゾール、フェンプロピジン、スピロキサミン、バリダマイシン、ポリオキシン、イプロバリカルブ、ピロキロン、シモキサニル、ホセチル、亜りん酸および塩、フルスルファミド、メタスルホカルブ、グアニジン（ドジン）、フェリムゾン、炭酸水素カリウム、ファーバム、グアザチン、イミノクタジン酢酸塩／イミノクタジンアルベシル酸塩（イミノクタジン）、硫酸銅、ホルムアルデヒド、８−ヒドロキシキノリンスルフェート、ヨードメタン、塩化第２水銀、メタム、臭化メチル、メチルイソチオシアネート、ミルジオマイシン、ナバム、フェニル水銀アセテート、２−フェニルフェノールおよびポロオキシンからなる群から選択される殺菌剤からなる群から選択される少なくとも一種を含有することが望ましい。
中でも、農薬は、例えば、アセフェート、フィプロニル、アセタミプリド、イミダクロプリド、クロチアニジン、ジノテフラン、チアクロプリド、チアメトキサム、ニテンピラムおよびフロニカミドからなる群から選択される少なくとも１種を含有することが好ましく、より好ましくは、例えばアセタミプリド、イミダクロプリド、クロチアニジン、ジノテフラン、チアクロプリド、チアメトキサムおよびニテンピラムからなる群から選択される少なくとも１種を含有することであり、さらに好ましくは例えばアセタミプリド、イミダクロプリド、クロチアニジン、ジノテフランおよびチアメトキサムからなる群から選択される少なくとも１種を含有することであり、特に好ましくは、ジノテフランなどを含有することである。
【００４２】
「肥料」とは、日本国の肥料取締法に定められた「植物の栄養に供すること又は植物の栽培に資するため土じょうに化学的変化をもたらすことを目的として、土地に施される物及び植物の栄養に供することを目的として、植物に施される物」をいう。
【００４３】
前記肥料取締法に基づき定められる公定規格では、窒素質肥料、りん酸質肥料、加里質肥料、有機質肥料、複合肥料、石灰質肥料、けい酸質肥料、苦土肥料、マンガン質肥料、ほう素質肥料、微量要素複合肥料、汚泥肥料等、農薬その他のものが混入される肥料に分類されている。また肥料効果からは速効性肥料あるいは緩効性肥料に区分することができる。
【００４４】
本明細書における「粒状」とは、固体物質が一定の大きさを有することを意味する。
本明細書における「緩効性肥料」とは、肥効がゆっくりと現れる肥料の総称であり、施肥後、少しずつ肥料成分が溶出し長期間肥効が持続する特長を持つ。具体的には、例えば、
（１）窒素質肥料、りん酸質肥料、加里質肥料、有機質肥料、複合肥料、石灰質肥料、けい酸質肥料（シリカゲル肥料に限る。）、苦土肥料、マンガン質肥料、ほう素質肥料、微量要素複合肥料、汚泥肥料等、農薬その他のものが混入される肥料のいずれか二以上を配合し、造粒又は成形した緩効性肥料（以下、「緩効性配合肥料」という。）；
（２）複合肥料の中で肥料若しくは肥料原料に化学的操作を加えて製造される緩効性肥料。例えばホルムアルデヒド加工尿素肥料、イソブチルアルデヒド縮合尿素肥料、苦土リン酸アンモニウム等をベースとする（以下、「化学合成緩効性肥料」という。）；
（３）例えば被覆窒素肥料、被覆りん酸肥料、被覆加里肥料、被覆複合肥料、被覆苦土肥料等の緩効性被覆肥料；
（４）加圧成形することにより成分の溶出が調整された錠剤肥料等の緩効性加圧成形肥料；および
（５）硝酸化成抑制剤を配合した緩効性硝酸化成抑制剤配合肥料などが挙げられ、中でも化学合成緩効性肥料が好ましい。
【００４５】
したがって、「緩効性粒状肥料」とは、粒状である上記の緩効性肥料を意味し、当該肥料のどの部分をとっても、その質や量が一様であり、かつ肥料の効果にばらつきがない固体肥料を意味する。具体的には、緩効性配合粒状肥料、化学合成緩効性粒状肥料、緩効性被覆粒状肥料、緩効性加圧成形粒状肥料または緩効性硝酸化成抑制剤配合肥料などを意味する。「農薬入り緩効性粒状肥料製剤」とは、農薬成分を含有する上記の「緩効性粒状肥料」の製剤を意味し、当該製剤中のどの部分をとっても、その質や量が一様であり、かつ肥料および農薬の効果にばらつきがない固体肥料の製剤を意味する。本農薬入り緩効性粒状肥料製剤として、例えば、化学的操作により粒状化されたもの、造粒機によって粒状化されたもの、ペレット状のもの、錠剤に成形されたもの、樹脂などによって被覆されたものなどを挙げることができる。
【００４６】
本発明の農薬入り緩効性粒状肥料製剤の粒子径は、例えば０．１ｍｍ〜５０．０ｍｍ、であればよく、好ましくは１０ｍｍ未満、より好ましくは、２ｍｍ未満である。なお、当該粒子径は、粒子径分布測定装置などを用いて測定することができる。
【００４７】
農薬入り緩効性粒状肥料製剤に係る保証成分のチッソ（Ｎ）、りん（Ｐ）およびカリウム（Ｋ）の重量比は、緩効性肥料として機能する限り、いずれの重量比であってもよく特に制限はないが、Ｎ：Ｐ：Ｋの重量比率が、例えば１：１：１（例えば５：５：５、６：６：６、７：７：７、８：８：８、１０：１０：１０など）の水平型保証成分、Ｎ：Ｐ：Ｋの重量比率が、例えば１：２：１（例えば５：１０：５など）、１．２：２：１（例えば６：１０：５など）、１：３：２（例えば３：９：６など）、２：３：１（例えば４：６：２など）などのＮおよびＫに対してＰの重量比率が高い山型保証成分、Ｎ：Ｐ：Ｋの重量比率が、例えば２：１：２（例えば４：２：４など）、２：１：３（例えば４：２：６など）、３：１：２（例えば６：２：４など）などのＮおよびＫに対してＰの重量比率が低い谷型保証成分、Ｎ：Ｐ：Ｋの重量比率が、例えば２：１：１（例えば６：３：３など）、３：２：１（例えば９：６：３など）などのＮの重量比率がＰおよびＫに対して高い下り型保証成分、Ｎ：Ｐ：Ｋの重量比率が、例えば１：１：２（例えば３：３：６など）、１：２：３（例えば３：６：９など）などのＫの重量比率がＮおよびＰに対して高い上り型保証成分を具体的に例示することができる。
【００４８】
さらには、各Ｎ、ＰおよびＫの重量比率は、チッソ（Ｎ）、りん（Ｐ）、カリウム（Ｋ）、ケイ素（Ｓｉ）、マグネシウム（Ｍｇ）、マンガン（Ｍｎ）、ホウ素（Ｂ）、カルシウム（Ｃａ）および硫黄（Ｓ）からなる群から選択される肥料成分のいずれか１種以上を含有する製剤、またはチッソ（Ｎ）、りん（Ｐ）およびカリウム（Ｋ）からなる群から選択される肥料成分の少なくとも２種を含有する製剤の範囲であれば、いずれかが０であってもよい。
【００４９】
Ｎ：Ｐ：Ｋの重量比率が６：４０：６（３：２０：３）または８：２０：８（２：５：２）である固体または粒状の肥料農薬製剤が特に好ましい。
なお、当該保証成分の重量比率は、所定の肥料中に含有される、最低限の、チッソ（Ｎ）、りん（Ｐ）およびカリウム（Ｋ）の割合を示す数値であって、その数値に限定されるものではない。したがって、当該重量比率がその数値以上の割合である肥料は、肥料として適格性を有し、当該肥料も本発明の農薬入り緩効性粒状肥料製剤に包含される。
【００５０】
「液体または液状肥料」とは、肥料が液体であること、または肥料が液体の状態であることを示す。本質的に両者に相違はないが、液体肥料としては、例えば液体けい酸加里肥料、液体微量要素複合肥料、液体副産窒素肥料、液体りん酸肥料などを挙げることができ、液状肥料としては、例えば液状窒素肥料、液状複合肥料などを挙げることができる。
本発明の農薬入り緩効性粒状肥料の主成分として使用する肥料は、市販されている緩効性粒状肥料を使用できるほか、特許文献１の記載の方法にしたがって製造したものを使用することができる。
【００５１】
本発明の「非石油系溶剤」とは、その構造に官能基を有する溶剤であり、例えば、水酸基、カルボキシル基、アルデヒド基等を含む溶剤であり、中でも、作業性または安全上の観点から、引火点が４０℃以上の非石油系溶剤が好ましい。例えば、エーテル系溶剤、ニトリル系溶剤、アルコール、多価アルコールなどのアルコール系溶剤、ケトン系溶剤、カーボネート系溶剤、エステル系溶剤、アミド系溶剤、カルバミド系溶剤、スルホキシド系溶剤、スルホン系溶剤、アミン系溶剤、アルデヒド系溶剤、脂肪酸エステル系溶剤、含窒素担体系溶剤、グリコールエーテル系溶剤等が挙げられる。
【００５２】
具体的な非石油系溶剤としては 、水とある程度混和する溶媒、例えば水溶解度が１００ｐｐｍ以上の溶媒であれば特に制限はなく、例えば、テトラヒドロフラン、１，４−ジオキサンなどのエーテル系溶剤；アセトニトリル、プロピオニトリル、ブチロニトリル、イソブチロニトリル、マロノニトリルなどのニトリル系溶剤；メタノール、エタノール、プロパノール、イソプロパノール、１−ブタノール、２−ブタノール、イソブタノール、ｔ−ブタノール、アリルアルコール、エチレングリコール、１，２−プロパンジオール（プロピレングリコール）、１，３−プロパンジオール、１，２−ブタンジオール、１，３−ブタンジオール、１，４−ブタンジオール、グリセリンなどのアルコール系溶剤；アセトン、メチルエチルケトン、ジエチルケトンなどのケトン系溶剤；ジメチルカーボネート、ジエチルカーボネート、エチレンカーボネート、プロピレンカーボネートなどのカーボネート系溶剤；ギ酸メチル、ギ酸エチル、酢酸メチル、酢酸エチル、γ−ブチロラクトン、乳酸メチル、乳酸エチル、などのエステル系溶剤；ホルムアミド、Ｎ，Ｎ−ジメチルホルムアミド、Ｎ，Ｎ−ジエチルホルムアミド、Ｎ，Ｎ−ジメチルアセトアミド、Ｎ，Ｎ−ジエチルアセトアミド、Ｎ，Ｎ−ジメチルプロピオンアミド、Ｎ，Ｎ−ジメチルラクタミドなどのアミド系溶剤；テトラメチルウレア、１，３−ジメチル−２−イミダゾリジノンなどのカルバミド系溶剤；ジメチルスルホキシドなどのスルホキシド系溶剤；ジメチルスルホン、スルホランなどのスルホン系溶剤；アンモニア、メチルアミン、ジメチルアミン、ジエチルアミン、トリエチルアミン、イソプロピルアミン、ジイソプロピルアミン、エチルジイソプロピルアミン、ピロリジン、Ｎ−メチルピロリジン、ピペリジン、Ｎ−メチルピペリジン、モルフォリン、Ｎ−メチルモルフォリン、ピリジン、エタノールアミンなどのアミン系溶剤；ホルムアルデヒド、アセトアルデヒド、プロピオンアルデヒド、ブタナール、ペンタナールなどのアルデヒド系溶剤；ヤシ油脂肪酸メチルエステル、コハク酸ジメチルエステル、グルタミン酸ジメチルエステル、アジピン酸ジメチルエステルなどの脂肪酸エステル系溶剤；Ｎ−メチルピロリドン、Ｎ−エチルピロリドンなどの含窒素担体系溶剤が挙げられる。
【００５３】
「グリコールエーテル」とは、ジオールまたはその縮合体の水酸基の片方もしくは両方がエーテル化した化合物を意味し、例えばエチレングリコール  モノメチルエーテル、エチレングリコール  モノエチルエーテル、エチレングリコール  モノプロピルエーテル、エチレングリコール  モノイソプロピルエーテル、エチレングリコール  モノブチルエーテル、エチレングリコール  モノイソブチルエーテル、エチレングリコール  モノｔ−ブチルエーテル、エチレングリコール  モノ２−メチルペンチルエーテル、エチレングリコール  モノヘキシルエーテル、エチレングリコール  モノ２−エチル−ヘキシルエーテル、エチレングリコール  モノビニルエーテル、エチレングリコール  モノアリルエーテル、エチレングリコール  モノベンジルエーテル、エチレングリコール  モノフェニルエーテル、エチレングリコール  ジメチルエーテル、エチレングリコール  ジエチルエーテル、ジエチレングリコール  モノメチルエーテル、ジエチレングリコール  モノエチルエーテル、ジエチレングリコール  モノプロピルエーテル、ジエチレングリコール  モノイソプロピルエーテル、ジエチレングリコール  モノブチルエーテル、ジエチレングリコール  モノイソブチルエーテル、ジエチレングリコール  モノヘキシルエーテル、ジエチレングリコール  モノ２−エチルヘキシルエーテル、ジエチレングリコール  モノアリルエーテル、ジエチレングリコール  モノベンジルエーテル、ジエチレングリコール  モノフェニルエーテル、ジエチレングリコール  モノ（メチルフェニル）エーテル、ジエチレングリコール  ジメチルエーテル、ジエチレングリコール  メチルエチルエーテル、ジエチレングリコール  ジエチルエーテル、ジエチレングリコール  ジブチルエーテル、ジエチレングリコール  ジビニルエーテル、ジエチレングリコール  エチルビニルエーテル、トリエチレングリコール  モノメチルエーテル、トリエチレングリコール  モノエチルエーテル、トリエチレングリコール  モノブチルエーテル、トリエチレングリコール  モノビニルエーテル、トリエチレングリコール  ジメチルエーテル、テトラエチレングリコール  モノフェニルエーテル、テトラエチレングリコール  ジエチルエーテル、ポリエチレングリコール  モノメチルエーテル、プロピレングリコール  モノメチルエーテル、プロピレングリコール  モノエチルエーテル、プロピレングリコール  モノプロピルエーテル、プロピレングリコール  モノイソプロピルエーテル、プロピレングリコール  モノブチルエーテル、プロピレングリコール  フェニルエーテル、プロピレングリコール  モノ（メチルフェニル）エーテル、プロピレングリコールジメチルエーテル、プロピレングリコールジエチルエーテル、プロピレングリコール  ジプロピルエーテル、プロピレングリコール  ジイソプロピルエーテル、プロピレングリコール  ジブチルエーテル、プロピレングリコール  ジイソブチルエーテル、プロピレングリコール  ジアリルエーテル、プロピレングリコール  ジフェニルエーテル、ジプロピレングリコール  モノメチルエーテル、ジプロピレングリコール  モノエチルエーテル、ジプロピレングリコール  モノプロピルエーテル、ジプロピレングリコール  モノ  ブチルエーテル、ジプロピレングリコール  ジメチルエーテル、ジプロピレングリコール  ジエチルエーテル、ジプロピレングリコール  ジブチルエーテル、ジプロピレングリコール  ジイソブチルエーテル、ジプロピレングリコール  アリルエーテル、トリプロピレングリコール  モノメチルエーテル、トリプロピレングリコール  モノエチルエーテル、トリプロピレングリコール  モノブチルエーテル、ブチレングリコール  モノメチルエーテル、ブチレングリコール  ジメチルエーテル、、イソプロピルグリコール、ジイソプロピルグリコール、ジメチルジグリコール、メチルエチルジグリコール、３−メトキシ−３−メチル−１−ブタノールなどが挙げられ、本発明の農薬入り緩効性粒状肥料製剤は、これらからなる群から選択される少なくとも１種のグリコールエーテルを含有することが好ましい。
【００５４】
中でも、好適なグリコールエーテルとしては、例えばエチレングリコール  モノブチルエーテル、エチレングリコール  モノイソブチルエーテル、エチレングリコール  モノアリルエーテル、ジエチレングリコール  モノブチルエーテル、ジエチレングリコール  モノイソブチルエーテル、ジエチレングリコール  モノベンジルエーテル、プロピレングリコール  モノプロピルエーテル、イソプロピルグリコール、イソプロピルジグリコール、ジメチルジグリコール、メチルエチルジグリコールまたは３−メトキシ−３−メチル−１−ブタノールなどが挙げられ、本発明の農薬入り緩効性粒状肥料製剤は、これらからなる群から選択される少なくとも１種を含有することが好ましい。最も好適な本発明の農薬入り緩効性粒状肥料製剤は、グリコールエーテルとして、３−メトキシ−３−メチル−１−ブタノールを含有する。
【００５５】
「水」とは、例えば精製水、蒸留水、イオン交換水、純水、超純水、滅菌水、ろ過水などを意味し、特に限定されず、どのような水も使用することができる。上記の水に加えて、農業用水、工業用水、井戸水、水道水など当該農薬入り緩効性粒状肥料製剤の機能・性能を阻害しない限り、使用することができる。
【００５６】
次に、本発明の農薬入り緩効性粒状肥料製剤の製造方法について説明する。
農薬入り緩効性粒状肥料製剤は、例えば、農薬（以下、「農薬成分」ということもある。）を１種以上の非石油系溶剤もしくは１種以上の非石油系溶剤と水の混合溶液に公知の方法にて溶解し、該溶液を緩効性粒状肥料に含浸せしめることにより、製造することができる。そして必要に応じて該溶液に、肥料（以下、「肥料成分」ということもある。）、界面活性剤その他の配合成分を混合し、含浸することにより、製造することもできる。
【００５７】
農薬を１種以上の非石油系溶剤に溶解する順番は、特に限定されず、各成分の性質に応じて、適宜選択して行うことができる。原料となる、農薬成分の形態には特に制限はなく、固体状態であっても、液体状態であってもよい。
【００５８】
１種以上の非石油系溶剤に添加した農薬成分は、適宜加温ないし加熱下、適宜攪拌下、各成分を溶解し、不溶物が存在するときは、必要に応じて、例えば、精密ろ過膜、限外濾過膜、逆浸透膜などを使用するろ過処理を行うことにより、濾過した溶液を、緩効性肥料に含浸せしめることにより、所望の農薬入り緩効性粒状肥料製剤を製造することができる。濾過方法は、何れの方法でも行うことができるが、通常、１μｍ程度のフィルターを使用することが有利である。農薬入り緩効性粒状肥料製剤を調製する温度は特に限定されないが、室温下、加温下または加熱下に行うことができる。調製時の混合溶液の温度は、０℃ないし溶媒の沸点、好ましくは２５℃ないし８０℃、特に好ましくは４０℃ないし７５℃である。
【００５９】
本発明の農薬入り緩効性粒状肥料製剤を安定的に製造するためには、予め調製した、１種以上の非石油系溶剤もしくは１種以上の非石油系溶剤と水の混合物、農薬を含有する水性組成物を、緩効性肥料に含浸させる製法が望ましい。
したがって、１種以上の非石油系溶剤もしくは１種以上の非石油系溶剤と水の混合物、農薬を含有する水性組成物（以下、この水性組成物を「プレミックス」と言うことがある。）は、本発明の農薬入り緩効性粒状肥料製剤を製造するための原料として有用である。
【００６０】
農薬成分を含有するプレミックスは、非石油系溶剤に、段落番号[００３８]ないし段落番号[００４１]に記載された農薬を溶解させることにより製造することができる。
農薬成分を含有するプレミックスの好適なものは、非石油系溶剤としてグリコールエーテル、好適にはエチレングリコール  モノブチルエーテル、エチレングリコール  モノイソブチルエーテル、エチレングリコール  モノアリルエーテル、ジエチレングリコール  モノブチルエーテル、ジエチレングリコール  モノイソブチルエーテル、ジエチレングリコール  モノベンジルエーテル、プロピレングリコール  モノプロピルエーテル、イソプロピルグリコール、ジイソプロピルグリコール、ジメチルジグリコール、メチルエチルジグリコールおよび３−メトキシ−３−メチル−１−ブタノールからなる群から選択される少なくとも１種、さらに好適には、グリコールエーテルが、３−メトキシ−３−メチル−１−ブタノールを、農薬として、アセタミプリド、イミダクロプリド、クロチアニジン、ジノテフラン、チアクロプリド、チアメトキサムおよびニテンピラムからなる群から選択される少なくとも１種のネオニコチノイド、さらに好適には、ジノテフランを含有するプレミックスである。なお、農薬成分を含有するプレミックスは、適宜水および／または液体もしくは液状肥料を加えて、緩効性肥料に含浸することができる。
【００６１】
グリコールエーテル、農薬および水を含有するプレミックスの例としては、ジノテフラン−エチレングリコール  モノイソプロピルエーテル−水溶液、ジノテフラン−エチレングリコール  モノブチルエーテル−水溶液、ジノテフラン−エチレングリコール  モノイソブチルエーテル−水溶液、ジノテフラン−エチレングリコール  モノアリルエーテル−水溶液、ジノテフラン−ジエチレングリコール  モノメチルエーテル−水溶液、ジノテフラン−ジエチレングリコール  モノイソプロピルエーテル−水溶液、ジノテフラン−ジエチレングリコール  モノブチルエーテル−水溶液、ジノテフラン−ジエチレングリコール  モノイソブチルエーテル−水溶液、ジノテフラン−ジエチレングリコール  モノベンジルエーテル−水溶液、ジノテフラン−ジエチレングリコール  ジメチルエーテル−水溶液、ジノテフラン−ジエチレングリコール  ジエチルエーテル−水溶液、ジノテフラン−ジエチレングリコール  メチルエチルエーテル−水溶液、ジノテフラン−トリエチレングリコール  モノメチルエーテル−水溶液、ジノテフラン−トリエチレングリコール  モノブチルエーテル−水溶液、ジノテフラン−トリエチレングリコール  ジメチルエーテル−水溶液、ジノテフラン−ポリエチレングリコール  モノメチルエーテル−水溶液、ジノテフラン−プロピレングリコール  モノメチルエーテル−水溶液、ジノテフラン−プロピレングリコール  モノプロピルエーテル−水溶液、ジノテフラン−ジプロピレングリコール  モノメチルエーテル−水溶液、ジノテフラン−トリプロピレングリコール  モノメチルエーテル−水溶液、ジノテフラン−３−メトキシ−３−メチル−１−ブタノール−水溶液、イミダクロプリド−エチレングリコール  モノイソプロピルエーテル−水溶液、イミダクロプリド−エチレングリコール  モノブチルエーテル−水溶液、イミダクロプリド−エチレングリコール  モノイソブチルエーテル−水溶液、イミダクロプリド−エチレングリコール  モノアリルエーテル−水溶液、イミダクロプリド−ジエチレングリコール  モノメチルエーテル−水溶液、イミダクロプリド−ジエチレングリコール  モノイソプロピルエーテル−水溶液、イミダクロプリド−ジエチレングリコール  モノブチルエーテル−水溶液、イミダクロプリド−ジエチレングリコール  モノイソブチルエーテル−水溶液、イミダクロプリド−ジエチレングリコール  モノベンジルエーテル−水溶液、イミダクロプリド−ジエチレングリコール  ジメチルエーテル−水溶液、イミダクロプリド−ジエチレングリコール  ジエチルエーテル−水溶液、イミダクロプリド−ジエチレングリコール  メチルエチルエーテル−水溶液、イミダクロプリド−トリエチレングリコール  モノメチルエーテル−水溶液、イミダクロプリド−トリエチレングリコール  モノブチルエーテル−水溶液、イミダクロプリド−トリエチレングリコール  ジメチルエーテル−水溶液、イミダクロプリド−ポリエチレングリコール  モノメチルエーテル−水溶液、イミダクロプリド−プロピレングリコール  モノメチルエーテル−水溶液、イミダクロプリド−プロピレングリコール  モノプロピルエーテル−水溶液、イミダクロプリド−ジプロピレングリコール  モノメチルエーテル−水溶液、イミダクロプリド−トリプロピレングリコール  モノメチルエーテル−水溶液、イミダクロプリド−３−メトキシ−３−メチル−１−ブタノール−水溶液、
クロチアニジン−エチレングリコール  モノイソプロピルエーテル−水溶液、クロチアニジン−エチレングリコール  モノブチルエーテル−水溶液、クロチアニジン−エチレングリコール  モノイソブチルエーテル−水溶液、クロチアニジン−エチレングリコール  モノアリルエーテル−水溶液、クロチアニジン−ジエチレングリコール  モノメチルエーテル−水溶液、クロチアニジン−ジエチレングリコール  モノイソプロピルエーテル−水溶液、クロチアニジン−ジエチレングリコール  モノブチルエーテル−水溶液、クロチアニジン−ジエチレングリコール  モノイソブチルエーテル−水溶液、クロチアニジン−ジエチレングリコール  モノベンジルエーテル−水溶液、クロチアニジン−ジエチレングリコール  ジメチルエーテル−水溶液、クロチアニジン−ジエチレングリコール  ジエチルエーテル−水溶液、クロチアニジン−ジエチレングリコール  メチルエチルエーテル−水溶液、クロチアニジン−トリエチレングリコール  モノメチルエーテル−水溶液、クロチアニジン−トリエチレングリコール  モノブチルエーテル−水溶液、クロチアニジン−トリエチレングリコール  ジメチルエーテル−水溶液、クロチアニジン−ポリエチレングリコール  モノメチルエーテル−水溶液、クロチアニジン−プロピレングリコール  モノメチルエーテル−水溶液、クロチアニジン−プロピレングリコール  モノプロピルエーテル−水溶液、クロチアニジン−ジプロピレングリコール  モノメチルエーテル−水溶液、クロチアニジン−トリプロピレングリコール  モノメチルエーテル−水溶液、クロチアニジン−３−メトキシ−３−メチル−１−ブタノール−水溶液、
チアメトキサム−エチレングリコール  モノイソプロピルエーテル−水溶液、チアメトキサム−エチレングリコール  モノブチルエーテル−水溶液、チアメトキサム−エチレングリコール  モノイソブチルエーテル−水溶液、チアメトキサム−エチレングリコール  モノアリルエーテル−水溶液、チアメトキサム−ジエチレングリコール  モノメチルエーテル−水溶液、チアメトキサム−ジエチレングリコール  モノイソプロピルエーテル−水溶液、チアメトキサム−ジエチレングリコール  モノブチルエーテル−水溶液、チアメトキサム−ジエチレングリコール  モノイソブチルエーテル−水溶液、チアメトキサム−ジエチレングリコール  モノベンジルエーテル−水溶液、チアメトキサム−ジエチレングリコール  ジメチルエーテル−水溶液、チアメトキサム−ジエチレングリコール  ジエチルエーテル−水溶液、チアメトキサム−ジエチレングリコール  メチルエチルエーテル−水溶液、チアメトキサム−トリエチレングリコール  モノメチルエーテル−水溶液、チアメトキサム−トリエチレングリコール  モノブチルエーテル−水溶液、チアメトキサム−トリエチレングリコール  ジメチルエーテル−水溶液、チアメトキサム−ポリエチレングリコール  モノメチルエーテル−水溶液、チアメトキサム−プロピレングリコール  モノメチルエーテル−水溶液、チアメトキサム−プロピレングリコール  モノプロピルエーテル−水溶液、チアメトキサム−ジプロピレングリコール  モノメチルエーテル−水溶液、チアメトキサム−トリプロピレングリコール  モノメチルエーテル−水溶液、チアメトキサム−３−メトキシ−３−メチル−１−ブタノール−水溶液、
アセタミプリド−エチレングリコール  モノイソプロピルエーテル−水溶液、アセタミプリド−エチレングリコール  モノブチルエーテル−水溶液、アセタミプリド−エチレングリコール  モノイソブチルエーテル−水溶液、アセタミプリド−エチレングリコール  モノアリルエーテル−水溶液、アセタミプリド−ジエチレングリコール  モノメチルエーテル−水溶液、アセタミプリド−ジエチレングリコール  モノイソプロピルエーテル−水溶液、アセタミプリド−ジエチレングリコール  モノブチルエーテル−水溶液、アセタミプリド−ジエチレングリコール  モノイソブチルエーテル−水溶液、アセタミプリド−ジエチレングリコール  モノベンジルエーテル−水溶液、アセタミプリド−ジエチレングリコール  ジメチルエーテル−水溶液、アセタミプリド−ジエチレングリコール  ジエチルエーテル−水溶液、アセタミプリド−ジエチレングリコール  メチルエチルエーテル−水溶液、アセタミプリド−トリエチレングリコール  モノメチルエーテル−水溶液、アセタミプリド−トリエチレングリコール  モノブチルエーテル−水溶液、アセタミプリド−トリエチレングリコール  ジメチルエーテル−水溶液、アセタミプリド−ポリエチレングリコール  モノメチルエーテル−水溶液、アセタミプリド−プロピレングリコール  モノメチルエーテル−水溶液、アセタミプリド−プロピレングリコール  モノプロピルエーテル−水溶液、アセタミプリド−ジプロピレングリコール  モノメチルエーテル−水溶液、アセタミプリド−トリプロピレングリコール  モノメチルエーテル−水溶液、アセタミプリド−３−メトキシ−３−メチル−１−ブタノール−水溶液、
チアクロプリド−エチレングリコール  モノイソプロピルエーテル−水溶液、チアクロプリド−エチレングリコール  モノブチルエーテル−水溶液、チアクロプリド−エチレングリコール  モノイソブチルエーテル−水溶液、チアクロプリド−エチレングリコール  モノアリルエーテル−水溶液、チアクロプリド−ジエチレングリコール  モノメチルエーテル−水溶液、チアクロプリド−ジエチレングリコール  モノイソプロピルエーテル−水溶液、チアクロプリド−ジエチレングリコール  モノブチルエーテル−水溶液、チアクロプリド−ジエチレングリコール  モノイソブチルエーテル−水溶液、チアクロプリド−ジエチレングリコール  モノベンジルエーテル−水溶液、チアクロプリド−ジエチレングリコール  ジメチルエーテル−水溶液、チアクロプリド−ジエチレングリコール  ジエチルエーテル−水溶液、チアクロプリド−ジエチレングリコール  メチルエチルエーテル−水溶液、チアクロプリド−トリエチレングリコール  モノメチルエーテル−水溶液、チアクロプリド−トリエチレングリコール  モノブチルエーテル−水溶液、チアクロプリド−トリエチレングリコール  ジメチルエーテル−水溶液、チアクロプリド−ポリエチレングリコール  モノメチルエーテル−水溶液、チアクロプリド−プロピレングリコール  モノメチルエーテル−水溶液、チアクロプリド−プロピレングリコール  モノプロピルエーテル−水溶液、チアクロプリド−ジプロピレングリコール  モノメチルエーテル−水溶液、チアクロプリド−トリプロピレングリコール  モノメチルエーテル−水溶液、チアクロプリド−３−メトキシ−３−メチル−１−ブタノール−水溶液、
ニテンピラム−エチレングリコール  モノイソプロピルエーテル−水溶液、ニテンピラム−エチレングリコール  モノブチルエーテル−水溶液、ニテンピラム−エチレングリコール  モノイソブチルエーテル−水溶液、ニテンピラム−エチレングリコール  モノアリルエーテル−水溶液、ニテンピラム−ジエチレングリコール  モノメチルエーテル−水溶液、ニテンピラム−ジエチレングリコール  モノイソプロピルエーテル−水溶液、ニテンピラム−ジエチレングリコール  モノブチルエーテル−水溶液、ニテンピラム−ジエチレングリコール  モノイソブチルエーテル−水溶液、ニテンピラム−ジエチレングリコール  モノベンジルエーテル−水溶液、ニテンピラム−ジエチレングリコール  ジメチルエーテル−水溶液、ニテンピラム−ジエチレングリコール  ジエチルエーテル−水溶液、ニテンピラム−ジエチレングリコール  メチルエチルエーテル−水溶液、ニテンピラム−トリエチレングリコール  モノメチルエーテル−水溶液、ニテンピラム−トリエチレングリコール  モノブチルエーテル−水溶液、ニテンピラム−トリエチレングリコール  ジメチルエーテル−水溶液、ニテンピラム−ポリエチレングリコール  モノメチルエーテル−水溶液、ニテンピラム−プロピレングリコール  モノメチルエーテル−水溶液、ニテンピラム−プロピレングリコール  モノプロピルエーテル−水溶液、ニテンピラム−ジプロピレングリコール  モノメチルエーテル−水溶液、ニテンピラム−トリプロピレングリコール  モノメチルエーテル−水溶液、ニテンピラム−３−メトキシ−３−メチル−１−ブタノール−水溶液などが挙げられ、
好適には、ジノテフラン−エチレングリコール  モノブチルエーテル−水溶液、ジノテフラン−エチレングリコール  モノイソブチルエーテル−水溶液、ジノテフラン−エチレングリコール  モノアリルエーテル−水溶液、ジノテフラン−ジエチレングリコール  モノブチルエーテル−水溶液、ジノテフラン−ジエチレングリコール  モノイソブチルエーテル−水溶液、ジノテフラン−ジエチレングリコール  モノベンジルエーテル−水溶液、ジノテフラン−プロピレングリコール  モノプロピルエーテル−水溶液、ジノテフラン−３−メトキシ−３−メチル−１−ブタノール−水溶液、
イミダクロプリド−エチレングリコール  モノブチルエーテル−水溶液、イミダクロプリド−エチレングリコール  モノイソブチルエーテル−水溶液、イミダクロプリド−エチレングリコール  モノアリルエーテル−水溶液、イミダクロプリド−ジエチレングリコール  モノブチルエーテル−水溶液、イミダクロプリド−ジエチレングリコール  モノイソブチルエーテル−水溶液、イミダクロプリド−ジエチレングリコール  モノベンジルエーテル−水溶液、イミダクロプリド−プロピレングリコール  モノプロピルエーテル−水溶液、イミダクロプリド−３−メトキシ−３−メチル−１−ブタノール−水溶液、
クロチアニジン−エチレングリコール  モノブチルエーテル−水溶液、クロチアニジン−エチレングリコール  モノイソブチルエーテル−水溶液、クロチアニジン−エチレングリコール  モノアリルエーテル−水溶液、クロチアニジン−ジエチレングリコール  モノブチルエーテル−水溶液、クロチアニジン−ジエチレングリコール  モノイソブチルエーテル−水溶液、クロチアニジン−ジエチレングリコール  モノベンジルエーテル−水溶液、クロチアニジン−プロピレングリコール  モノプロピルエーテル−水溶液、クロチアニジン−３−メトキシ−３−メチル−１−ブタノール−水溶液、
チアメトキサム−エチレングリコール  モノブチルエーテル−水溶液、チアメトキサム−エチレングリコール  モノイソブチルエーテル−水溶液、チアメトキサム−エチレングリコール  モノアリルエーテル−水溶液、チアメトキサム−ジエチレングリコール  モノブチルエーテル−水溶液、チアメトキサム−ジエチレングリコール  モノイソブチルエーテル−水溶液、チアメトキサム−ジエチレングリコール  モノベンジルエーテル−水溶液、チアメトキサム−プロピレングリコール  モノプロピルエーテル−水溶液、チアメトキサム−３−メトキシ−３−メチル−１−ブタノール−水溶液、
アセタミプリド−エチレングリコール  モノブチルエーテル−水溶液、アセタミプリド−エチレングリコール  モノイソブチルエーテル−水溶液、アセタミプリド−エチレングリコール  モノアリルエーテル−水溶液、アセタミプリド−ジエチレングリコール  モノブチルエーテル−水溶液、アセタミプリド−ジエチレングリコール  モノイソブチルエーテル−水溶液、アセタミプリド−ジエチレングリコール  モノベンジルエーテル−水溶液、アセタミプリド−プロピレングリコール  モノプロピルエーテル−水溶液、アセタミプリド−３−メトキシ−３−メチル−１−ブタノール−水溶液などが挙げられ、
より好適には、ジノテフラン−３−メトキシ−３−メチル−１−ブタノール−水溶液、イミダクロプリド−３−メトキシ−３−メチル−１−ブタノール−水溶液、クロチアニジン−３−メトキシ−３−メチル−１−ブタノール−水溶液、チアメトキサム−３−メトキシ−３−メチル−１−ブタノール−水溶液、アセタミプリド−３−メトキシ−３−メチル−１−ブタノール−水溶液などが挙げられ、
最も好適には、ジノテフラン−３−メトキシ−３−メチル−１−ブタノール−水溶液である。
【００６２】
本発明の農薬入り緩効性粒状肥料製剤には、農薬成分として、殺虫剤、殺菌剤、除草剤または植物調節剤などいずれの農薬成分をも配合することができる。
植物調節剤成分としては、例えば、マレイン酸ヒドラジドおよびその塩、アブシジン酸、イネベンフィド、パクロブトラゾール、ウニコナゾール、トリアペンテノールまたはサイコセルなどが挙げられる。
農薬成分としては、常温で固体、半固体または液状のいずれのものでも使用することができる。例えば殺虫剤、殺菌剤または除草剤のように、全く対象の異なる２種以上の配合も可能である。
【００６３】
使用する農薬成分および非石油系溶剤は、この２つの成分が含まれていれば特に制限はないが、それらの好適な範囲としては、農薬成分が０．０１％〜１０％、非石油系溶剤が０．１％〜１０％、肥料成分総重量０．１％〜９９．９％であり、より好適には、農薬成分が０．０１％〜１０％、非石油系溶剤が０．１％〜１０％、肥料成分総重量が０．１％〜９９．８％、さらに好適には、農薬成分が０．０３％〜５％、非石油系溶剤が０．１％〜１０％、肥料成分総重量５０．０％〜９９．９％である。
【００６４】
農薬入り緩効性粒状肥料製剤には、上記の配合成分に加えて、必要に応じて界面活性剤を配合することができる。界面活性剤としては、通常、農薬の製剤に使用されるものであれば特に限定はなく、例えば、ノニオン界面活性剤、アニオン界面活性剤、カチオン界面活性剤を用いることができ、好ましくはノニオン界面活性剤やアニオン界面活性剤の１種または２種以上、更に好ましくはノニオン界面活性剤の１種または２種以上を混合して使用することができる。
【００６５】
界面活性剤の具体例としては、例えば、ポリオキシエチレンアルキルアリールエーテル、ポリオキシエチレンアルキルフェニルエーテル、ポリオキシエチレンポリスチリルフェニルエーテル、ポリオキシエチレンポリオキシプロピレンブロックコポリマー、ポリオキシエチレンオレイルエステル、ポリオキシエチレン脂肪酸エステルおよびソルビタン脂肪酸エステルなどのノニオン界面活性剤；
脂肪酸塩、アルキル硫酸エステル塩、アルキルベンゼンスルホン酸塩、α−オレフィンスルホン酸塩、アルキルスルホコハク酸塩、ポリオキシエチレンアルキルアリールエーテル硫酸および燐酸塩、ポリオキシエチレンスチリルフェニルエーテル硫酸および燐酸塩およびアルキルアミン塩などのアニオン界面活性剤；
第１〜第３級脂肪アミン塩、塩化アルキルアンモニウム塩、テトラアルキルアンモニウム塩、トリアルキルベンジルアンモニウム塩、アルキルピリジニウム塩、アルキルヒドロキシエチルイミダゾリニウム塩などのカチオン界面活性剤が挙げられ、更には例えばアニオン界面活性剤とカチオン界面活性剤のコンパウンド型界面活性剤も含まれる。これら界面活性剤は、単独で用いても２種以上を併用してもよい。その配合量は、通常、農薬混合液剤中に例えば０．１〜７０重量部、好ましくは０．１〜３０重量部、さらに好ましくは０．１〜１０重量部である。
【００６６】
農薬入り緩効性粒状肥料製剤には、上記の配合成分に加えて、必要に応じて添加剤を配合することができる。添加剤としては、例えば、農薬成分の安定性改善の為のｐＨ調整剤として、乳酸、塩酸、りん酸、クエン酸ナトリウム、クエン酸、りん酸水素二ナトリウム、りん酸二水素ナトリウム、りん酸水素二カリウム、りん酸二水素カリウム、フタル酸、フタル酸水素カリウム、水酸化ナトリウム、水酸化カリウム、炭酸ナトリウム、炭酸カリウム、コハク酸、ホウ酸ナトリウム、Ｎ−エチルモルフォリンなどを、農薬入り緩効性粒状肥料製剤全体に対する配合割合０．０１〜１０重量部、好ましくは０．０５〜５重量部で配合することができる。酸化防止剤としては、ジブチルヒドロキシトルエンなどを、配合割合０．００１〜１重量部、好ましくは０．００５〜０．５重量部で配合することができる。紫外線吸収剤としては、２−ヒドロキシ−４−ｎ−オクトキシベンゾフェノンなどを、配合割合０．００１〜１重量部、好ましくは０．００５〜０．５重量部で配合することができる。消泡剤としては、アセチレングリコール系消泡剤、シリコーン系消泡剤、フッ素系消泡剤、脂肪酸系消泡剤などを、配合割合０．００１〜５重量部、好ましくは０．０１〜２重量部で配合することができる。また防菌剤としては、ベンゾチアゾール誘導体、ソルビン酸、ソルビン酸カリウム、ｐ−オキシ安息香酸ブチル、グルタルアルデヒド、チアゾロン、ＢＮＰＫ（２−ブロモ−２−ニトロプロパン−１，３−ジオール）などを、配合割合０．０１〜５重量部、好ましくは０．０１〜２重量部で配合することができる。
【００６７】
さらに、着色剤、結晶析出防止剤、増粘剤、分散剤、キレート剤、効果発現促進剤、組成均一化促進剤、硝酸化成抑制剤などの後述する補助剤もそれぞれ必要に応じて添加してもよいが、これらの補助剤はここに例示したものに限定されるものではない。
【００６８】
着色剤としては、例えばアゾイック染料、アゾ染料、アクリジン、アニリン染、アニリンブラック、インダンスレン、エオシン、コンゴーレッド、ジヒドロイントール、メチレンブルー、フェナジン誘導体色素、ニュートラルレッド、フェノールフタレイン、フクシン、フルオレセイン、パラレッド、モーブ、カロチン；キサントフィル、クリプトキサンチン、ゼアキサンチン、フコキサンチン、リコピン、ルテインなどのカロチノイド；フラボン類、フラバノン、アントクロール、アントシアン、カテキンなどのフラボノイド；メラニンなどのキノン類；クロロフィル、クロロフィリド、バクテリオクロロフィル、チトクロム、フェオホルビド、フェオポルフィリン、ヘムエリトリン、ヘモグロビン、ヘモバナジン、ヘモシアニン、ポルフィリン、ポルフィン、ミオグロビンなどのポルフィリン色素類；フィコシアニン、フィコビリン、フィコエリスリン、フィトクロム、ビリベルジン、ビリルビンなどのフィコビリン系色素；アリザリン、アントシアン、アントラキノン、インディゴ、ウロビリン、エリトロクルオリン、カルタミン、キサントンマチン、クルクミン、クロセチン、クロリン、クロロクルオリン、ゲニステイン、コチニール、ゴッシポール、コンメリニン、シコニン、ステルコピリン、タンニン、ツラシン、ビキシン、ヒペリシン、ピンナグロビン、ブラジリン、プルプリン、ベタシアニン、ベルベリン、ホルビリン、マンゴスチン（ｍａｎｇｏｓｔｉｎ）、モリンジン、ラミナラン、レグヘモグロビン、リトマス、ロドプシン、ロドキサンチン、ロドマチンなどの外、例えばカーボンブラック、べんがら、ソルベントレッド23、シー・アイ・アシッド・ブルー  １（Ｃ．Ｉ．Ａｃｉｄ  Ｂｌｕｅ  １）、シー・アイ・アシッド・イエロー  ２３（シー・アイ・アシッド・イエロー  ２３）などを挙げることができる。
【００６９】
結晶析出防止剤としては、例えばエチレングリコール、プロピレングリコール、グリセリン、シクロデキストリン類、グリセリンのアルキレンオキサイド付加物などを挙げることができる。
【００７０】
増粘剤としては、例えば三晶株式会社等から入手できる製品を挙げることができるが、例えば、ＭＥＹＰＲＯＬＢＧ  ＦＬＥＵＲＴＭ  Ｍ−２００などのローストビーンガム、ＳＵＰＥＲＧＥＬＴＭ  ２００などのグァーガム、ＪＡＧＵＡＲＴＭ  Ｃ−１３Ｓなどのグァーガム誘導体、ＷＧ−１０８などのカラギーナン、ＹＭ−１５０−ＬＪＴＭなどのペクチン、ＫＥＬＺＡＮＴＭなどのキサンタンガム、ＫＥＬＣＯＧＥＬＴＭ  ＡＦＴなどのジェランガム、ＫＥＬＣＯ−ＣＲＥＴＥＴＭ  ＤＧなどのダイユータンガム、ＳＢ  ＧＵＭ−ＲＴＭなどのデンプン、ＭＡＬＴＲＩＮ(R)  Ｍ０４０などのデキストリン、ＦＩＮＮＦＩＸＴＭなどのセルロース誘導体（カルボキシメチルセルロース誘導体）、スピノガムなどのタラガムを挙げることができる。
【００７１】
分散剤としては、例えば花王等から入手できる製品を挙げることができるが、例えば、デモールＴＭ  Ｎなどのβ‐ナフタレンスルホン酸ホルマリン縮合物ナトリウム塩、デモールＴＭ  ＳＮ−Ｂなどの特殊芳香族スルホン酸ホルマリン縮合物のナトリウム塩、デモールＴＭ  Ｐなどの特殊ポリカルボン酸型高分子界面活性剤、ノプコスパースＴＭ４４‐Ｃなどのポリカルボン酸ナトリウム塩、ノプコスパースＴＭ５６００などのポリカルボン酸アンモニウム塩、ＳＮ  ディスパーサントＴＭ５０２３などの特殊ポリカルボン酸アンモニウム塩、ＳＮ  ディスパーサントＴＭ２０６０などのポリリン酸アミノアルコール中和品、ローマＰＷＡ‐４０ＴＭなどの縮合ナフタレンスルホン酸アンモニウム塩を挙げることができる。
【００７２】
キレート剤としては、例えばキレスト株式会社から入手できる製品等を挙げることができるが、ＥＤＴＡ（Ｅｔｈｙｌｅｎｅ  Ｄｉａｍｉｎｅ  Ｔｅｔｒａａｃｅｔｉｃ  Ａｃｉｄ）、ＮＴＡ（Ｎｉｔｒｉｌｏ  Ｔｒｉａｃｅｔｉｃ  Ａｃｉｄ）、ＤＴＰＡ（Ｄｉｅｔｈｙｌｅｎｅ  Ｔｒｉａｍｉｎｅ  Ｐｅｎｔａａｃｅｔｉｃ  Ａｃｉｄ）、ＨＥＤＴＡ（Ｈｙｄｒｏｘｙｅｔｈｙｌ  Ｅｔｈｙｌｅｎｅ  Ｄｉａｍｉｎｅ  Ｔｒｉａｃｅｔｉｃ  Ａｃｉｄ）、ＴＴＨＡ（Ｔｒｉｅｔｈｙｌｅｎｅ  Ｔｅｔｒａｍｉｎｅ  Ｈｅｘａａｃｅｔｉｃ  Ａｃｉｄ）、ＰＤＴＡ（１，３−Ｐｒｏｐａｎｅｄｉａｍｉｎｅ  Ｔｅｔｒａａｃｅｔｉｃ  Ａｃｉｄ）、ＤＰＴＡ−ＯＨ（１，３−Ｄｉａｍｉｎｏ−２−ｈｙｄｒｏｘｙｐｒｏｐａｎｅ  Ｔｅｔｒａａｃｅｔｉｃ  Ａｃｉｄ）、ＨＩＤＡ（Ｈｙｄｒｏｘｙｅｔｈｙｌ  Ｉｍｉｎｏ  Ｄｉａｃｅｔｉｃ  Ａｃｉｄ）、ＤＨＥＧ（Ｄｉｈｙｄｒｏｘｙｅｔｈｙｌ  Ｇｌｙｃｉｎｅ）、ＧＥＤＴＡ（Ｇｌｙｃｏｌ  Ｅｔｈｅｒ  Ｄｉａｍｉｎｅ  Ｔｅｔｒａａｃｅｔｉｃ  Ａｃｉｄ）、ＣＭＧＡ（Ｄｉｃａｒｂｏｘｙｍｅｔｈｙｌ  Ｇｌｕｔａｍｉｃ  Ａｃｉｄ）、ＥＤＤＳ（（Ｓ，Ｓ）‐Ｅｔｈｙｌｅｎｅ  Ｄｉａｍｉｎｅ  Ｄｉｓｕｃｃｉｎｉｃ  Ａｃｉｄ）、ＨＥＤＰ（Ｈｙｄｒｏｘｙｅｔｈｙｌｉｄｅｎｅ  Ｄｉｐｈｏｓｐｈｏｎｉｃ  Ａｃｉｄ）、ＮＴＭＰ（Ｎｉｔｒｉｌｏｔｒｉｓ  （Ｍｅｔｈｙｌｅｎｅ  Ｐｈｏｓｐｈｏｎｉｃ  Ａｃｉｄ））、ＰＢＴＣ（Ｐｈｏｓｐｈｏｎｏｂｕｔａｎｅ  Ｔｒｉｃａｒｂｏｘｙｌｉｃ  Ａｃｉｄ）、ＥＤＴＭＰ（Ｅｔｈｙｌｅｎｅ  Ｄｉａｍｉｎｅ  Ｔｅｔｒａ（Ｍｅｔｈｙｌｅｎｅ  Ｐｈｏｓｐｈｏｎｉｃ  Ａｃｉｄ））、ＥＤＴＡ・Ｆｅ・Ｎａ・Ｈ２ＯなどのＥＤＴＡ金属塩、ＤＴＰＡ・Ｆｅ・Ｎａ・ＨなどのＤＴＰＡ金属塩、ＰＤＴＡ・Ｆｅ・ＮＨ４・Ｈ２ＯなどのＰＤＴＡ金属塩、ＨＯＣＨ２（ＣＨＯＨ）４ＣＯＯＮａなどを挙げることができる。
【００７３】
効果発現促進剤としては、例えば硫酸第一鉄、硫酸銅、硫酸亜鉛、モリブデン酸アンモニウムなどを挙げることができる。
【００７４】
組成均一化促進剤としては、例えば石こう、パラフィンおよび鉱油、コーンスターチ、ゼオライトなどを挙げることができる。
【００７５】
水および／または液体もしくは液状肥料を使用する場合は、硝酸化成抑制としては、例えば２−アミノ−４−クロル−6−メチルピリミジン（ＡＭ）、Ｎ−２，５−ジクロルフェニルサクシナミド酸（ＤＣＳ）、ジシアンジアミド、１−アミジノ−２−チオウレア（ＡＳＵ）などを挙げることができる。
また、使用する水は、例えば精製水、蒸留水、イオン交換水、純水、超純水、滅菌水、ろ過水など特に限定されず、どのような水も使用することができる。
【００７６】
農薬入り緩効性粒状肥料製剤は、通常、植穴処理、株元処理、土壌混和として用いることができる。調製した農薬入り緩効性粒状肥料製剤を植物に施用する際は、そのまま使用することができる。植物に対する使用量は、農薬入り緩効性粒状肥料製剤の内容によって決定するが、一株当たり１ｇから２０ｇ使用することができる。
【００７７】
施用することができる植物は、本発明の農薬入り緩効性粒状肥料製剤が適用できるものであれば、特に制限はなく、農業分野における、例えば作物、工芸作物、飼料作物等、園芸分野における、例えば野菜、果樹、花卉等を挙げることができる。
【００７８】
具体的には、草花；鉢花；果菜類、葉菜類、根菜類を含む野菜；花木；落葉果樹、常緑果樹を含む果樹；芝生；庭木；山野草；球根；観葉植物；洋ラン；グランドカバーなどを挙げることができる。
【００７９】
植穴処理、株元処理、土壌混和に用いる場合、有効成分の種類や含有量にもよるが、一般に農薬入り緩効性粒状肥料製剤を直接計量して処理する。また、当該農薬入り緩効性粒状肥料製剤の施用量、施用時期は、配合する農薬有効成分に応じて適宜決定することができる。
【００８０】
さらには、本発明の農薬入り緩効性粒状肥料製剤は、上記のように、植物に対して単独で施用することができるが、本発明の農薬入り緩効性粒状肥料製剤と共に以下の液体肥料を併用することができる。
【００８１】
併用方法の具体例としては、本発明の農薬入り緩効性粒状肥料製剤を施用した後、例えば液体肥料、粉体肥料を水に可溶化させて施用する肥料、農薬入り液体肥料等の液体肥料を施用することができる。施用する液体肥料の濃度およびその施用量は、対象となる植物、植物の状態を考慮して、適宜選択することができるが、例えば、２５０〜２０００倍希釈の液体肥料の好適な施用量は、２〜３Ｌ／ｍ２である。
【００８２】
併用する液体肥料の具体例としては、例えばハイポネックス原液、花工場原液、ベジフル液肥、マイローズばらの液体肥料などの液体肥料；粉体肥料である微粉ハイポネックス、 各種微量要素入り高純度粉末の水溶性肥料であるピータース、水溶性園芸肥料である、ＯＫ−Ｆ−１、ＯＫ−Ｆ−３、ＯＫ−Ｆ−９、ＯＫ−Ｆ−１２、ＯＫ−Ｆ−１７、ＯＫエース、ＯＫスペシャルを水に可溶化させて施用する肥料；農薬入り液体肥料としてはハイポネックス原液殺虫剤入り等が挙げられる。
【実施例】
【００８３】
以下、本発明を実施例により具体的に説明するが、本発明はこれらの実施例に限定されるものではない。【００８４】
実施例１（農薬入り緩効性粒状肥料製剤）
ジノテフラン原体０．２部、３−メトキシ−３−メチル−１−ブタノール（株式会社クラレ製、商品名ソルフィット）０．２部および水３．６部を混合し、プレミックスを得た。このプレミックスを緩効性粒状肥料マグァンプＫ（株式会社ハイポネックスジャパン製に添加、混合してジノテフラン入り緩効性粒状肥料を得た。【００８５】
実施例２
前記の実施例１において３−メトキシ−３−メチル−１−ブタノールをイソプロピルグリコール（日本乳化剤株式会社製、商品名iＰＧ）に変更した他は実施例１と同様の処理を行い、ジノテフラン入り緩効性粒状肥料を得た。【００８６】
実施例３
前記の実施例１において３−メトキシ−３−メチル−１−ブタノールをイソプロピルジグリコール（日本乳化剤株式会社製、商品名iＰＤＧ）に変更した他は実施例１と同様の処理を行い、ジノテフラン入り緩効性粒状肥料を得た。【００８７】
実施例４
前記の実施例１において３−メトキシ−３−メチル−１−ブタノールをジメチルジグリコール（日本乳化剤株式会社製、商品名ＤＭＤＧ）に変更した他は実施例１と同様の処理を行い、ジノテフラン入り緩効性粒状肥料を得た。【００８８】
実施例５
前記の実施例１において３−メトキシ−３−メチル−１−ブタノールをメチルエチルジグリコール（日本乳化剤株式会社製、商品名ＭＥＤＧ）に変更した他は実施例１と同様の処理を行い、ジノテフラン入り緩効性粒状肥料を得た。【００８９】
実施例６
前記の実施例１において３−メトキシ−３−メチル−１−ブタノールをジエチレングリコールモノブチルエーテル（ダウ・ケミカル日本株式会社製、商品名ＢＵＴＹＬＣＡＲＢＩＴＯＬ）に変更した他は実施例１と同様の処理を行い、ジノテフラン入り緩効性粒状肥料を得た。【００９０】
実施例７
前記の実施例１において３−メトキシ−３−メチル−１−ブタノールを乳酸メチル（コービオンジャパン株式会社製、商品名ＰＵＲＡＳＯＬＶ ＭＬ）に変更した他は実施例１と同様の処理を行い、ジノテフラン入り緩効性粒状肥料を得た。【００９１】
実施例８
前記の実施例１において３−メトキシ−３−メチル−１−ブタノールをＮ−エチルピロリドン（ＭＹＩ  Ｃｈｅｍｉｃａｌ  Ｃｏ，Ｌｔｄ．製、商品名ＮＥＰ）に変更した他は実施例１と同様の処理を行い、ジノテフラン入り緩効性粒状肥料を得た。【００９２】
実施例９
前記の実施例１において３−メトキシ−３−メチル−１−ブタノールをＮ，Ｎ−ジメチルラクタミド（Ｃｏｒｂｉｏｎ  Ｐｕｒａｃ製、商品名Ｎ，Ｎ−ｄｉｍｅｔｈｙｌｌａｃｔａｍｉｄｅ）に変更した他は実施例１と同様の処理を行い、ジノテフラン入り緩効性粒状肥料を得た。【００９３】
実施例１０
前記の実施例１においてジノテフラン原体をヒメキサゾール原体に変更した他は実施例１と同様の処理を行い、ヒメキサゾール入り緩効性粒状肥料を得た。【００９４】
実施例１１
前記の実施例１において３−メトキシ−３−メチル−１−ブタノールを２．０部に増量し、水を１．８部に減量した他は実施例１と同様の処理を行い、ジノテフラン入り緩効性粒状肥料を得た。【００９５】
比較例１
前記の実施例１において３−メトキシ−３−メチル−１−ブタノールをソルベントナフサ（エクソンモービル株式会社製、商品名ソルベッソ１００）に変更した他は実施例１と同様の処理を行い、ジノテフラン入り緩効性粒状肥料を得た。【００９６】
比較例２
前記の実施例１において３−メトキシ−３−メチル−１−ブタノールをソルベントナフサ（ゴードー溶剤株式会社製、商品名ナフテゾール２２０）に変更した他は実施例１と同様の処理を行い、ジノテフラン入り緩効性粒状肥料を得た。【００９７】
比較例３
前記の実施例１において３−メトキシ−３−メチル−１−ブタノールを流動パラフィン（出光興産株式会社製、商品名ダフニーオイルＳＹ-１５）に変更した他は実施例１と同様の処理を行い、ジノテフラン入り緩効性粒状肥料を得た。【００９８】
比較例４
前記の実施例１において３−メトキシ−３−メチル−１−ブタノールをフタル酸イソデシル（新日本理化株式会社製、商品名サンソサイザーＤＩＤＰ）に変更した他は実施例１と同様の処理を行い、ジノテフラン入り緩効性粒状肥料を得た。【００９９】
本発明の農薬入り緩効性粒状肥料製剤の有用性を示すために、以下の試験例１（プレミックスの製造性）、試験例２（緩効性粒状肥料への含浸可否）、試験例３（製剤安定性）および試験例４（発芽阻害試験）を行った。【０１００】
試験例１（プレミックス製造性）
プレミックスの調製において、ジノテフランの溶解性を目視にて評価した。その結果を表１に示す。評価の判定基準は、○：完全に溶解、×：農薬有効成分が懸濁を示す。【０１０１】
試験例２（農薬入り緩効性粒状肥料へのプレミックスの含浸可否）
調製したプレミックスの農薬入り緩効性粒状肥料への含浸可否について評価した。その結果を表１に示す。判定基準は、○：問題なく均一処理可能、△：処理はできるが不均一、×：処理できずを示す。【０１０２】
試験例３（製剤安定性）
調製した試料をアルミ袋に入れて５４℃２週間の虐待経時を行い、経時後の試料の状態を確認した。その結果を表１に示す。判定基準は、○：変化なし、×：固結、結晶析出等の劣化ありを示す。【０１０３】
【表１】
2018074525.tif 000002
【０１０４】
試験例４（発芽阻害試験）
本発明の農薬入り緩効性粒状肥料製剤の発芽阻害試験を日本国の昭和５９年４月１８日付け５９農蚕第１９４３号農林水産省農蚕園芸局長通知による、植物に対する害に関する栽培試験の方法（抄）に準じて、試験を行った。
内径１１．３センチメートル、高さ６．５センチメートルの鉢（ノイバウエルポット）を用い、供試肥料は、農薬入り緩効性粒状肥料製剤を供試土壌1リットル当たり５ｇおよび１０ｇ使用した。対照肥料は、供試肥料と同じ肥料成分の緩効性粒状肥料のマガンプKを使用した。
供試土壌は、ピートモス、赤玉土、パーライトを４：３：３で混合したものを使用した。
供試作物は、こまつなを使用した。
供試土壌を試験容器に約５００ミリリットルとなるように充填した。
（イ）試験区は、供試肥料および対照肥料を用いた、標準量施用区および２倍量施用区を設けた。
（ロ）供試肥料における試験区
農薬入り緩効性粒状肥料製剤の試作品の成分量に合わせ、標準量施用区を土壌１リットル当たり５ｇ、２倍量施用区については１０ｇの施用量とした。
（ハ）対照肥料における試験区
対照肥料を用いた試験区は、供試肥料を用いたものに準じて設けた。
（ニ）施肥の方法
肥料は、試験容器全体の土壌と均一となるようよく混合して施用した。
（ホ）作物のは種およびは種方法
は種量は、試験容器当たり２０粒とした。
は種は、種子が等間隔となるようます目状にピンセット等を用いて行い、は種後、風乾土壌で種子が隠れる程度に覆った。
試験期間中における土壌の水分は、試験開始後約１０日間は試験開始時の水分状態を保つよう減水分を補給し、その後は作物の生育に応じて適宜給水した。試験期間中における栽培温度は、摂氏１５度から２５度までの範囲内に保った。栽培期間は、は種後２５日とした。
本発明の実施例１、実施例２、実施例３、実施例７、実施例８および実施例９の製剤について、その発芽率および異常症状の有無等を調査した。その結果を表２に示す。【０１０５】
【表２】
2018074525.tif 000003
【産業上の利用可能性】
【０１０６】
本発明によれば、植物に対する薬害が発生せず、安全な農薬入り緩効性粒状肥料製剤を提供することができる。
【国際調査報告】
2018074525.tif 000004
2018074525.tif 000005
2018074525.tif 000006
2018074525.tif 000007